(57)【要約】スリーブと、水濾過器を受容するように構成される濾過器開口部を含む、浮揚性本体であって、浮揚性本体の外面から外向きに延在するシールを有する、浮揚性本体とを有する、ピッチャ等の携帯用飲料水濾過器システム。浮揚性本体は、本体シールが側壁に係合し、水が浮揚性本体と側壁との間を通過することを制限するように、スリーブ空洞の中に配置される。シールは、側壁と摩擦を生成するように構成され、浮揚性本体がスリーブの中で上昇するときに生成される摩擦は、浮揚性本体がスリーブの中で下降するときと異なる。浮揚性本体がスリーブの中で上昇するときに生成される摩擦は、浮揚性本体がスリーブの中で下降するときを上回り、浮揚性本体が噴出することなく空洞基部に向かって自動後退することを可能にする。
2019534154.tif 000002
【特許請求の範囲】
【請求項１】
携帯用飲料水ピッチャであって、
濾過器開口部を囲繞する浮揚性本体であって、前記濾過器開口部は、その中に交換可能な水濾過器を受容および係合するように適合されており、前記浮揚性本体は、前記浮揚性本体の外面の外向きに延在しているシールを有する、浮揚性本体と、
上端および前記上端の反対側の基部を有するピッチャであって、前記基部および前記上端は、外壁によって継合され、前記ピッチャは、第１の空洞を画定する、ピッチャと、
前記ピッチャ内に位置付けられ、前記ピッチャの前記上端から前記基部の近接まで延在している、除去可能なスリーブであって、前記スリーブは、前記ピッチャ内の第２の空洞を画定し、前記第２の空洞を連続的に囲繞する１つ以上の側壁を備え、前記スリーブは、上部開放端および底部開放端を有する、スリーブと、
前記除去可能なスリーブの前記１つ以上の側壁および前記ピッチャの前記外壁によって形成される吐水口であって、前記吐水口は、前記ピッチャの前記基部の隣接部から前記ピッチャの前記上端の隣接部まで延在しており、前記吐水口は、前記上端に隣接して位置する出口開口部および前記基部に隣接して位置する入口開口部を画定し、前記吐水口の前記入口開口部は、前記スリーブの前記底端と流体連通し、前記スリーブの前記第２の空洞から水を受容する、吐水口と
を備え、
前記浮揚性本体は、前記シールを伴って前記空洞の中に配置され、前記シールは、前記１つ以上の側壁に係合し、前記浮揚性本体が前記スリーブの前記上端に隣接する上昇位置から前記スリーブの前記底部開放端に隣接する下降位置まで移動すると、水が前記浮揚性本体と前記１つ以上の側壁との間を通過することを制限し、
水が前記吐水口を通して分注されると、前記浮揚性本体は、前記基部に向かって自動後退する一方で、前記ピッチャが前記吐水口から水を注ぐために傾けられると、前記１つ以上の側壁との前記シールの前記係合および前記基部に関する前記浮揚性本体の配向を維持する、携帯用飲料水ピッチャ。
【請求項２】
前記浮揚性本体の前記自動後退は、前記空洞内の前記浮揚性本体の上方の空気と前記第２の空洞内の前記浮揚性本体の下方の水との間に生成される圧力差に反応する、請求項１に記載の携帯用飲料水ピッチャ。
【請求項３】
前記浮揚性本体の前記自動後退は、前記吐水口の前記出口開口部から離れた方向にある、請求項１に記載の携帯用飲料水ピッチャ。
【請求項４】
前記ピッチャの前記基部は、前記ピッチャが前記吐水口から水を注ぐために傾けられると、前記浮揚性本体が前記基部に向かって上開口部から離れるように自動後退するときに、前記上開口部における前記吐水口の前記出口開口部の上方に位置する、請求項３に記載の携帯用飲料水ピッチャ。
【請求項５】
前記浮揚性本体の前記シールは、前記浮揚性本体が前記基部まで自動後退された後に前記スリーブの前記底端の上方に位置する、請求項４に記載の携帯用飲料水ピッチャ。
【請求項６】
前記浮揚性本体は、平面的な底面を有し、前記スリーブは、平面的な底面を有し、前記平面は、相互に対して平行に位置し、前記ピッチャが前記吐水口から水を注ぐために傾けられるときに前記浮揚性本体が前記基部に向かって自動後退すると、平行なままである、請求項５に記載の携帯用飲料水ピッチャ。
【請求項７】
前記浮揚性本体は、前記浮揚性本体が前記基部に向かって自動後退すると、前記底部開放端の一部を充填する、請求項６に記載の携帯用飲料水ピッチャ。
【請求項８】
前記スリーブの前記上部開放端は、前記ピッチャの前記上端に近接し、前記スリーブの前記底部開放端は、前記基部と接触する、請求項１に記載の携帯用飲料水ピッチャ。
【請求項９】
前記第２の空洞は、前記第１の空洞の大部分を充填する、請求項１に記載の携帯用飲料水ピッチャ。
【請求項１０】
前記第１の空洞は、第１の容積を有し、前記第２の空洞は、第２の容積を有し、前記第２の容積は、前記第１の容積の少なくとも７０％を充填する、請求項１に記載の携帯用飲料水ピッチャ。
【請求項１１】
前記第２の容積は、前記第１の容積の少なくとも８５％を充填する、請求項１０に記載の携帯用飲料水ピッチャ。
【請求項１２】
前記スリーブの前記底部開放端およびピッチャ基部のうちの一方は、突出部を備え、前記スリーブの前記底部開放端および前記ピッチャ基部のうちの他方は、前記突出部と噛合される、請求項１に記載の携帯用飲料水ピッチャ。
【請求項１３】
前記ピッチャは、前記スリーブの前記上部開放端および前記底部開放端のうちの少なくとも１つに近接する前記スリーブに係合する、請求項１に記載の携帯用飲料水ピッチャ。
【請求項１４】
前記ピッチャの前記上端および前記スリーブの前記上部開放端に結合される除去可能な蓋をさらに備える、請求項１に記載の携帯用飲料水ピッチャ。
【請求項１５】
前記浮揚性本体は、前記浮揚性本体内の容積を有し、前記第２の空洞は、前記第２の空洞内の容積を有し、前記第２の空洞容積に対する浮揚性本体容積の比は、１／８〜１／２の範囲内である、請求項１に記載の携帯用飲料水ピッチャ。
【請求項１６】
前記シールは、前記浮揚性本体に係合するように構成されている第１の部分と、外向きに延在している第２の部分とを有し、前記第２の部分は、１つ以上のスリーブ側壁に係合し、水が前記浮揚性本体と前記１つ以上のスリーブ側壁との間を通過することを制限するように構成されており、
前記第２の部分は、アームと、前記アームに結合される遠位テーパ状先端と、前記テーパ状先端の反対側のヒンジ部分を通して前記アームに結合され、また、前記ヒンジ部分の反対側の前記第１の部分にも結合される、ブリッジとを備え、
前記ヒンジ部分は、前記テーパ状先端が、前記浮揚性本体が上昇するときに前記浮揚性本体に対して第２の角度で、および前記浮揚性本体が下降するときに第１の角度で、前記１つ以上のスリーブ側壁に係合するように、前記第２の部分が前記ヒンジ部分を中心として屈曲することを可能にするように構成されており、
前記テーパ状先端は、前記１つ以上のスリーブ側壁と摩擦を生成するように構成されており、前記浮揚性本体が前記スリーブの中で上昇するときに生成される前記摩擦は、前記浮揚性本体が前記スリーブの中で下降するときに生成される前記摩擦と異なる、請求項１に記載の携帯用飲料水ピッチャ。
【請求項１７】
携帯用飲料水ピッチャであって、
濾過器開口部を囲繞する浮揚性本体であって、前記濾過器開口部は、その中に交換可能な水濾過器を受容および係合するように適合されており、前記浮揚性本体は、前記浮揚性本体の外面の外向きに延在しているシールを有する、浮揚性本体と、
上端、空洞を画定する側壁、蓋、および前記上端の反対側の基部を有する、ピッチャであって、前記ピッチャはさらに、チャネルを画定する内壁および外壁を有し、前記チャネルは、前記上端に隣接して位置する出口開口部と、前記基部に隣接して位置する入口開口部とを含む、ピッチャと
を備え、
前記浮揚性本体は、前記シールを伴って前記空洞の中に配置され、前記シールは、前記空洞の前記側壁に係合し、前記浮揚性本体が第１の位置と第２の位置との間で移動すると、水が前記側壁と前記浮揚性本体との間を通過することを制限し、
水が前記チャネルの前記出口開口部を通して分注されると、前記浮揚性本体は、前記基部に向かって前記蓋から離れるように自動後退する一方で、前記ピッチャが前記チャネルから水を注ぐために傾けられると、前記側壁との前記シールの前記係合および前記基部に関する前記浮揚性本体の配向を維持する、ピッチャ。
【請求項１８】
前記浮揚性本体の前記自動後退は、前記チャネルの前記出口開口部から離れた方向にある、請求項１７に記載のピッチャ。
【請求項１９】
前記ピッチャの前記基部は、前記ピッチャが前記チャネルから水を注ぐために傾けられると、前記浮揚性本体が前記基部に向かって前記蓋から離れるように自動後退するときに、前記チャネルの前記出口開口部の上方に位置する、請求項１８に記載のピッチャ。
【請求項２０】
前記内壁は、前記基部から距離を置いて離間される末端を有し、前記チャネルの前記入口開口部と流体連通する通路を画定し、前記浮揚性本体は、前記浮揚性本体が前記基部に向かって自動後退すると、前記通路のサイズを縮小する、請求項１９に記載のピッチャ。
【請求項２１】
前記浮揚性本体の前記シールは、前記浮揚性本体が前記基部まで後退された後に前記末端の上方に位置する、請求項２０に記載のピッチャ。
【請求項２２】
前記浮揚性本体は、平面的な底面を有し、前記基部は、平面的な底面を有し、前記平面は、相互に対して平行に位置し、前記ピッチャが前記チャネルから水を注ぐために傾けられるときに前記浮揚性本体が前記基部に向かって自動後退すると、平行なままである、請求項２１に記載のピッチャ。
【請求項２３】
前記浮揚性本体はさらに、浮揚性シールの頂面と浮揚性シールの底面との間の距離の半分を上回って前記シールから垂直に離間される、前記浮揚性本体の表面上に少なくとも１つの接点を備える、請求項２１に記載のピッチャ。
【請求項２４】
水を濾過する方法であって、
コンテナの第１の空洞の中に除去可能なスリーブを配置することであって、前記コンテナは、ハンドルと、上端と、注水口と、１つ以上のピッチャ側壁と、前記第１の空洞をともに画定する、前記上端の反対側のピッチャ基部とを有し、前記除去可能なスリーブは、上開口部と、１つ以上のスリーブ側壁と、第２の空洞をともに画定する、前記上開口部の反対側の前記スリーブの下端に近接する前記１つ以上のスリーブ側壁内の下開口部とを有する、ことと、
浮揚性本体の濾過器開口部内に交換可能な水濾過器を固着することであって、前記浮揚性本体は、前記濾過器開口部を囲繞し、前記浮揚性本体の外面の外向きに延在しているシールを有する、ことと、
前記シールが、前記１つ以上のスリーブ側壁と係合され、水が前記浮揚性本体と前記１つ以上のスリーブ側壁との間を通過することを制限する一方で、前記浮揚性本体が、前記ピッチャ基部に近接する第１の位置と前記スリーブの上開口部に近接する第２の位置との間で前記第２の空洞内で移動可能なままであるように、前記スリーブ内に前記浮揚性本体を配置することと、
前記上開口部を通して堆積される未濾過水で、前記浮揚性本体の上方の前記第２の空洞の一部を充填することと、
前記ピッチャを傾け、前記コンテナと前記スリーブとの間の空隙によって形成されるチャネルを通して、前記浮揚性本体の下方の前記第２の空洞から濾過水を注ぐことによって、前記濾過水を分注することであって、前記チャネルは、前記第２の空洞から前記スリーブの前記下開口部を通して前記コンテナの前記上端に近接する前記注水口まで延在している、ことと、
全ての濾過水が分注され、前記浮揚性本体が全ての濾過水の前記分注に応答して前記第１の位置まで自動後退した後に、未濾過水で前記浮揚性本体の上方の前記第２の空洞の前記一部を再充填することと
を含み、
濾過水は、前記浮揚性本体の上方から前記浮揚性本体の下方までの水濾過によって生成される前記第２の空洞内の第１の圧力差に応答して、前記浮揚性本体が前記第２の位置に向かって前記スリーブ内で移動すると、前記水濾過器を通過した後に前記浮揚性本体の下方の前記第２の空洞の中に堆積され、
前記浮揚性本体は、前記第１の位置に向かって自動後退する一方で、前記ピッチャを傾けることによって前記第２の空洞から前記チャネルを通して濾過水を注ぐことによって生成される前記第２の空洞内の第２の圧力差に応答して、前記１つ以上のスリーブ側壁との係合および前記ピッチャ基部に関する相対的配向を維持し、前記第１の位置に向かった前記自動後退は、濾過水を注ぐことと同時であり、前記チャネルを通して前記注水口まで移動する前記濾過水の方向と反対の方向にある、方法。
【請求項２５】
除去可能な蓋を前記上端および前記上開口部に結合することをさらに含む、請求項２４に記載の方法。
【請求項２６】
前記スリーブの前記下端および前記ピッチャ基部のうちの一方は、突出部を備え、前記コンテナの前記第１の空洞の中に前記除去可能なスリーブを配置することはさらに、前記スリーブの前記下端および前記ピッチャ基部のうちの他方を前記突出部と噛合させることを含む、請求項２４に記載の方法。
【請求項２７】
携帯用飲料水濾過器システムであって、
濾過器開口部を囲繞する浮揚性本体であって、前記濾過器開口部は、その中に水濾過器を受容するように構成されており、前記浮揚性本体は、前記浮揚性本体の外面から外向きに延在しているシールを有する、浮揚性本体と、
ハンドルと、上開口部と、前記上開口部の反対側の基部と、空洞を画定する１つ以上の側壁とを有する、コンテナであって、前記コンテナは、チャネルを有し、前記チャネルは、前記空洞と流体連通し、前記基部の近接から前記上開口部の近接まで前記コンテナ内の前記空洞の外側に延在しており、前記チャネルは、前記コンテナが傾けられるときに、前記上開口部に近接する前記コンテナから水を分注するように構成されており、前記浮揚性本体は、前記シールが、前記１つ以上の側壁に係合し、水が前記浮揚性本体と前記１つ以上の側壁との間を通過することを制限するように構成される一方で、前記浮揚性本体が、前記基部に近接する第１の位置から前記上開口部に近接する第２の位置まで前記空洞内で移動するように、前記空洞の中に配置される、コンテナと
を備える、システム。
【請求項２８】
前記浮揚性本体は、前記基部に向かって自動後退する一方で、前記ピッチャが前記チャネルを介して前記空洞から水を注ぐために傾けられることに応答して、前記チャネルからの水の分注によって前記空洞内に生成される吸引を通して、前記１つ以上の側壁との係合および前記基部への相対的配向を維持するように構成されている、請求項２７に記載のシステム。
【請求項２９】
前記ピッチャが傾けられるとき、前記上開口部は、前記基部よりも低く位置付けられ、前記チャネルから水を注ぐことは、前記上開口部から離れた方向に前記浮揚性本体の前記自動後退を引き起こす真空を生成する、請求項２８に記載のシステム。
【請求項３０】
前記チャネルは、前記基部に近接する下開口部を通して前記空洞と流体連通し、前記シールは、前記浮揚性本体が前記空洞内でその最低位置まで自動後退された後に、前記下開口部の上方の前記１つ以上の側壁と係合される、請求項２８に記載のシステム。
【請求項３１】
前記浮揚性本体は、前記濾過器開口部の下方の空間を封鎖するように構成されている下向きに延在している部分を有する、請求項２７に記載のシステム。
【請求項３２】
前記空洞は、高さＨを有し、前記浮揚性本体は、高さｈを有し、前記高さｈは、１／４Ｈ〜１／２Ｈである、請求項２７に記載のシステム。
【請求項３３】
前記濾過器開口部の中に配置される水濾過器をさらに備える、請求項２７に記載のシステム。
【請求項３４】
前記水濾過器は、輪郭外面を有し、前記輪郭外面は、その高さの大部分に延在している一貫した輪郭を伴って輪郭形成されており、前記輪郭外面は、前記水濾過器が前記濾過器開口部の中に挿入されると、それを捻転させ、液体シールを作成するように構成されている、請求項３３に記載のシステム。
【請求項３５】
前記シールは、前記１つ以上の側壁に係合し、前記コンテナの配向から独立して、水が前記浮揚性本体と前記１つ以上の側壁との間を通過することを制限するように構成されている、請求項２７に記載のシステム。
【請求項３６】
前記ピッチャはさらに、除去可能なスリーブを備え、前記除去可能なスリーブは、前記コンテナ内にあり、前記上開口部から前記基部の近接まで延在しており、前記スリーブは、前記空洞を囲繞する前記１つ以上の側壁を形成しており、前記空洞を前記スリーブの上部において開放させ、かつ前記スリーブの底部に隣接して前記コンテナへ開放させており、前記チャネルは、前記コンテナと前記スリーブの前記１つ以上の側壁との間に延在している、請求項２７に記載のシステム。
【請求項３７】
前記浮揚性本体はさらに、複数の平衡タブを備え、前記複数の平衡タブは、前記浮揚性本体の１つ以上の壁から延在しており、前記上開口部よりも前記基部の近くに位置付けられており、前記複数の平衡タブは、前記１つ以上の側壁に接触するように構成されている、請求項２７に記載のシステム。
【請求項３８】
携帯用水ピッチャであって、
濾過器開口部を囲繞する浮揚性本体であって、前記濾過器開口部は、その中に交換可能な水濾過器を受容および係合するように適合されており、前記浮揚性本体は、前記浮揚性本体の外面から外向きに延在しているシールを有する、浮揚性本体と、
ハンドルと、上開口部と、前記上開口部の反対側の基部とを有する、コンテナと、
前記コンテナ内に位置付けられ、前記上開口部の近接から前記基部の近接まで延在している、除去可能なスリーブであって、前記スリーブは、前記コンテナ内の空洞を画定し、１つ以上の側壁を備えており、前記１つ以上の側壁は、前記空洞の上端および前記空洞の底端の近接に開口部を伴って前記空洞を連続的に囲繞する、スリーブと、
前記除去可能なスリーブの前記１つ以上の側壁と前記コンテナとの間に位置付けられる吐水口であって、前記吐水口は、前記基部の隣接部から前記上開口部の隣接部まで前記コンテナ内の前記空洞の外側に延在している、吐水口と
を備え、
前記浮揚性本体は、前記シールを伴って前記空洞の中に配置され、前記シールは、前記１つ以上の側壁に係合し、前記浮揚性本体が前記上開口部に隣接する上昇位置から前記基部に隣接する下降位置まで移動すると、水が前記浮揚性本体と前記１つ以上の側壁との間を通過することを制限し、
前記１つ以上の側壁との前記シールの係合は、水が前記基部に向かって前記浮揚性本体を自動後退させるように前記上開口部に隣接する前記吐水口を通して分注されると、前記浮揚性本体と前記基部との間の前記空洞内に真空を生成する一方で、前記ピッチャが前記吐水口から水を注ぐために傾けられると、前記１つ以上の側壁との前記シールの前記係合および前記基部に関する前記浮揚性本体の配向を維持する、携帯用水ピッチャ。
【請求項３９】
携帯用飲料水濾過ピッチャであって、
濾過器開口部を囲繞する浮揚性本体であって、前記濾過器開口部は、その中に水濾過媒体を受容するように適合されており、前記浮揚性本体は、前記浮揚性本体の外面から外向きに延在しているシールを有する、浮揚性本体と、
ハンドルと、上開口部と、前記上開口部の反対側の基部と、空洞を画定する１つ以上の側壁とを有する、コンテナであって、前記コンテナは、チャネルを有し、前記チャネルは、前記空洞と流体連通し、前記基部の近接から前記上開口部の近接まで前記コンテナ内の前記空洞の外側に延在しており、前記チャネルは、前記コンテナが傾けられるときに、前記上開口部に近接する前記コンテナから水を分注するように構成されており、前記浮揚性本体は、前記シールが、前記１つ以上の側壁に係合し、水が前記浮揚性本体と前記１つ以上の側壁との間を通過することを制限するように構成されるように、前記空洞の中に配置される、コンテナと
を備え、
前記浮揚性本体は、前記基部に近接する第１の位置から前記コンテナの前記上開口部に近接する第２の位置まで前記空洞内で移動可能であり、前記浮揚性本体が、前記基部に向かって自動後退する一方で、前記ピッチャが前記チャネルから水を注ぐために傾けられることに応答して、前記チャネルからの水の分注によって前記空洞内に生成される吸引を通して、前記１つ以上の側壁との係合および前記基部に関する相対的配向を維持するように、前記１つ以上の側壁と係合される、ピッチャ。
【請求項４０】
前記ピッチャはさらに、除去可能なスリーブを備え、前記除去可能なスリーブは、前記コンテナ内にあり、前記上開口部から前記基部の近接まで延在しており、前記スリーブは、前記空洞を囲繞する前記１つ以上の側壁を形成し、前記空洞を前記スリーブの上部において開放させ、かつ前記スリーブの底部に隣接して前記コンテナへ開放させており、前記チャネルは、前記コンテナと前記スリーブの前記１つ以上の側壁との間に延在している、請求項３９に記載のピッチャ。
【請求項４１】
前記空洞内に生成される前記吸引は、前記チャネルを通した前記水の移動の方向と反対の方向に前記浮揚性本体を移動させる、請求項３９に記載のピッチャ。
【発明の詳細な説明】
【技術分野】
【０００１】
本開示は、概して、濾過水を提供するように構成される濾過器を有する、水ピッチャを含む、水濾過コンテナの分野に関する。
【背景技術】
【０００２】
取付可能な水濾過器を伴うピッチャは、飲用または使用前に水道水を濾過することを所望する消費者によって、頻繁に使用されている。典型的濾過器は、水ピッチャ内に固定して着座するリザーバに結合する。しかしながら、これらのリザーバは、通常、精製水を担持するためのピッチャ内で利用可能な空間の量と比較して、比較的小さい。しかしながら、リザーバがリザーバの未濾過水容量を増加させるように拡大される場合、濾過水空間のサイズは、減少する。したがって、従来の水濾過ピッチャは、濾過水リザーバの容積を充填するために、リザーバの複数回の充填を要求し、これは、非常に時間がかかり、もどかしく、最大１５分以上の時間を要し得る。
【０００３】
水ピッチャを完全に充填するための長い待機時間、ピッチャサイズと比較して小さい濾過水リザーバ、および完全に充填された濾過水リザーバを得るために未濾過水リザーバを複数回充填する要件への不満は、未濾過水リザーバを伴う最初の自己濾過式ピッチャが１９６０年代にＢｒｉｔａによって発売されて以来、存在している。Ｂｒｉｔａ、Ｐｕｒ、およびＣａｍｅｌｂａｃｋ等の企業は全て、異なる方法でこれらの問題を解決しようとしてきたが、各商業的に実現可能な試行は、依然として、複数回の充填を要求すること、汚染物質の濾過の低減、および充填または分注している間に濾過が行われているため水のより遅い充填または分注という問題のうちの１つ以上のものに悩まされる。水をより大きい濾過水リザーバへ濾過するために複数回の充填を要求する、その小さい未濾過水リザーバを伴う最初のＢｒｉｔａ設計に関する固有の問題にもかかわらず、そのＢｒｉｔａピッチャ設計は、依然として、世界中で最もよく売れている自己濾過式水ピッチャのままである。
【発明の概要】
【課題を解決するための手段】
【０００４】
一側面によると、携帯用飲料水ピッチャは、その中に交換可能な水濾過器を受容および係合するように適合される、濾過器開口部を囲繞する、浮揚性本体であって、浮揚性本体の外面の外向きに延在するシールを有する、浮揚性本体と、上端および上端の反対側の基部を有する、ピッチャであって、基部および上端は、外壁によって継合され、第１の空洞を画定する、ピッチャと、ピッチャ内に位置付けられ、ピッチャの上端から基部の近接まで延在する、除去可能なスリーブであって、ピッチャ内の第２の空洞を画定し、第２の空洞を連続的に囲繞する、１つ以上の側壁を備える、スリーブであって、上部開放端および底部開放端を有する、スリーブと、除去可能なスリーブの１つ以上の側壁およびピッチャの外壁によって形成される、吐水口であって、吐水口は、ピッチャの基部の隣接部からピッチャの上端の隣接部まで延在し、吐水口は、上端に隣接して位置する出口開口部および基部に隣接して位置する入口開口部を画定し、吐水口の入口開口部は、スリーブの底端と流体連通し、スリーブの第２の空洞から水を受容する、吐水口とを備えてもよく、浮揚性本体は、１つ以上の側壁に係合し、浮揚性本体がスリーブの上端に隣接する上昇位置からスリーブの底部開放端に隣接する下降位置まで移動すると、水が浮揚性本体と１つ以上の側壁との間を通過することを制限する、シールを伴って、空洞の中に配置され、水が吐水口を通して分注されると、浮揚性本体は、基部に向かって自動後退する一方で、ピッチャが吐水口から水を注ぐために傾けられると、１つ以上の側壁とのシールの係合および基部に関する浮揚性本体の配向を維持する。
【０００５】
特定の実施形態は、以下の特徴のうちの１つ以上のものを備えてもよい。浮揚性本体の自動後退は、空洞内の浮揚性本体の上方の空気と第２の空洞内の浮揚性本体の下方の水との間に生成される圧力差に反応して起こってもよい。浮揚性本体の自動後退は、吐水口の出口開口部から離れた方向にあってもよい。ピッチャの基部は、ピッチャが吐水口から水を注ぐために傾けられると、浮揚性本体が基部に向かって上開口部から離れるように自動後退するときに、上開口部における吐水口の出口開口部の上方に位置してもよい。浮揚性本体のシールは、浮揚性本体が基部まで自動後退された後にスリーブの底端の上方に位置してもよい。浮揚性本体は、平面的な底面を有してもよく、スリーブは、平面的な底面を有してもよく、平面は、相互と平行に位置し、ピッチャが吐水口から水を注ぐために傾けられるときに浮揚性本体が基部に向かって自動後退すると、平行なままである。浮揚性本体は、浮揚性本体が基部に向かって自動後退すると、底部開放端の一部を充填してもよい。スリーブの上部開放端は、ピッチャの上端に近接してもよく、スリーブの底部開放端は、基部と接触する。第２の空洞は、第１の空洞の大部分を充填してもよい。第１の空洞は、第１の容積を有し、第２の空洞は、第２の容積を有し、第２の容積は、第１の容積の少なくとも７０％を充填してもよい。第２の容積は、第１の容積の少なくとも８５％を充填する。スリーブの底部開放端およびピッチャ基部のうちの一方は、突出部を備えてもよく、スリーブの底部開放端およびピッチャ基部のうちの他方は、突出部と噛合されてもよい。ピッチャは、スリーブの上部開放端および底部開放端のうちの少なくとも１つに近接するスリーブに係合してもよい。除去可能な蓋が、ピッチャの上端およびスリーブの上部開放端に結合されてもよい。浮揚性本体は、浮揚性本体内の容積を有し、第２の空洞は、第２の空洞内の容積を有し、第２の空洞容積に対する浮揚性本体容積の比は、１／８〜１／２の範囲内であってもよい。シールは、浮揚性本体に係合するように構成される、第１の部分と、外向きに延在し、１つ以上のスリーブ側壁に係合し、水が浮揚性本体と１つ以上のスリーブ側壁との間を通過することを制限するように構成される、第２の部分とを有してもよい。第２の部分は、アームと、アームに結合される遠位テーパ状先端と、テーパ状先端の反対側のヒンジ部分を通してアームに結合され、また、ヒンジ部分の反対側の第１の部分にも結合される、ブリッジとを備えてもよい。ヒンジ部分は、テーパ状先端が、浮揚性本体が上昇するときに浮揚性本体に対して第２の角度で、および浮揚性本体が下降するときに第１の角度で、１つ以上のスリーブ側壁に係合するように、第２の部分がヒンジ部分を中心として屈曲することを可能にするように構成されてもよい。テーパ状先端は、１つ以上のスリーブ側壁と摩擦を生成するように構成されてもよく、浮揚性本体がスリーブの中で上昇するときに生成される摩擦は、浮揚性本体がスリーブの中で下降するときに生成される摩擦と異なる。
【０００６】
別の側面によると、携帯用飲料水ピッチャは、その中に交換可能な水濾過器を受容および係合するように適合される、濾過器開口部を囲繞する、浮揚性本体であって、浮揚性本体の外面の外向きに延在するシールを有する、浮揚性本体と、上端、空洞を画定する側壁、蓋、および上端の反対側の基部を有する、ピッチャであって、ピッチャはさらに、チャネルを画定する内壁および外壁を有し、チャネルは、上端に隣接して位置する出口開口部と、基部に隣接して位置する入口開口部とを含む、ピッチャとを備えてもよく、浮揚性本体は、空洞の側壁に係合し、浮揚性本体が第１の位置と第２の位置との間で移動すると、水が側壁と浮揚性本体との間を通過することを制限する、シールを伴って、空洞の中に配置され、水がチャネルの出口開口部を通して分注されると、浮揚性本体は、基部に向かって蓋から離れるように自動後退する一方で、ピッチャがチャネルから水を注ぐために傾けられると、側壁とのシールの係合および基部に関する浮揚性本体の配向を維持する。
【０００７】
特定の実施形態は、以下の特徴のうちの１つ以上のものを備えてもよい。浮揚性本体の自動後退は、チャネルの出口開口部から離れた方向にあってもよい。ピッチャの基部は、ピッチャがチャネルから水を注ぐために傾けられると、浮揚性本体が基部に向かって蓋から離れるように自動後退するときに、チャネルの出口開口部の上方に位置してもよい。内壁は、基部から距離を置いて離間される末端を有し、チャネルの入口開口部と流体連通する通路を画定してもよく、浮揚性本体は、浮揚性本体が基部に向かって自動後退すると、通路のサイズを縮小してもよい。浮揚性本体のシールは、浮揚性本体が基部まで自動後退された後に末端の上方に位置してもよい。浮揚性本体は、平面的な底面を有し、基部は、平面的な底面を有し、平面は、相互と平行に位置し、ピッチャがチャネルから水を注ぐために傾けられるときに浮揚性本体が基部に向かって自動後退すると、平行なままであってもよい。浮揚性本体はさらに、浮揚性シールの頂面と浮揚性シールの底面との間の距離の半分を上回ってシールから垂直に離間される、浮揚性本体の表面上に少なくとも１つの接点を備えてもよい。
【０００８】
別の側面によると、水を濾過する方法は、コンテナの第１の空洞の中に除去可能なスリーブを配置するステップであって、コンテナは、ハンドルと、上端と、注水口と、１つ以上のピッチャ側壁と、第１の空洞をともに画定する、上端の反対側のピッチャ基部とを有し、除去可能なスリーブは、上開口部と、１つ以上のスリーブ側壁と、第２の空洞をともに画定する、上開口部の反対側のスリーブの下端に近接する１つ以上のスリーブ側壁内の下開口部とを有する、ステップと、浮揚性本体の濾過器開口部内に交換可能な水濾過器を固着するステップであって、浮揚性本体は、濾過器開口部を囲繞し、浮揚性本体の外面の外向きに延在するシールを有する、ステップと、シールが、１つ以上のスリーブ側壁と係合され、水が浮揚性本体と１つ以上のスリーブ側壁との間を通過することを制限する一方で、浮揚性本体が、ピッチャ基部に近接する第１の位置とスリーブの上開口部に近接する第２の位置との間で第２の空洞内で移動可能なままであるように、スリーブ内に浮揚性本体を配置するステップと、上開口部を通して堆積される未濾過水で、浮揚性本体の上方の第２の空洞の一部を充填するステップと、ピッチャを傾け、コンテナとスリーブとの間の空隙によって形成されるチャネルを通して、浮揚性本体の下方の第２の空洞から濾過水を注ぐことによって、濾過水を分注するステップであって、チャネルは、第２の空洞からスリーブの下開口部を通してコンテナの上端に近接する注水口まで延在する、ステップと、全ての濾過水が分注され、浮揚性本体が全ての濾過水の分注に応答して第１の位置まで自動後退した後に、未濾過水で浮揚性本体の上方の第２の空洞の一部を再充填するステップとを備えてもよく、濾過水は、浮揚性本体の上方から浮揚性本体の下方までの水濾過によって生成される第２の空洞内の第１の圧力差に応答して、浮揚性本体が第２の位置に向かってスリーブ内で移動すると、水濾過器を通過した後に浮揚性本体の下方の第２の空洞の中に堆積され、浮揚性本体は、第１の位置に向かって自動後退する一方で、ピッチャを傾けることによって、第２の空洞からチャネルを通して濾過水を注ぐことによって生成される、第２の空洞内の第２の圧力差に応答して、１つ以上のスリーブ側壁との係合およびピッチャ基部に関する相対的配向を維持し、第１の位置に向かった自動後退は、濾過水を注ぐことと同時であり、チャネルを通して注水口まで移動する濾過水の方向と反対の方向にある。
【０００９】
特定の実施形態は、以下の特徴のうちの１つ以上のものを備えてもよい。除去可能な蓋を上端および上開口部に結合する。スリーブの下端およびピッチャ基部のうちの一方は、突出部を備えてもよく、コンテナの第１の空洞の中に除去可能なスリーブを配置するステップはさらに、スリーブの下端およびピッチャ基部のうちの他方を突出部と噛合させるステップを含んでもよい。
【００１０】
本明細書に提示される本開示の側面および用途は、図面および発明を実施する形態において以下に説明される。具体的に記述されない限り、本明細書および請求項の中の言葉ならびに語句は、当業者にとって明白、通常、かつ習慣的なそれらの意味を与えられることが意図される。本発明者らは、所望される場合、それらの独自の辞書編集者であり得ることを完全に認識している。本発明者らは、それらの独自の辞書編集者として、別様に明確に記述しない限り、本明細書および請求項の中で用語の明白な通常の意味のみを使用することを選択し、次いで、さらに、その用語の「特殊な」定義を明白に記載し、それが明白な通常の意味と異なる様子を解説する。「特殊な」定義を適用する意図のそのような明確な記述がなければ、用語の単純で明白な通常の意味が本明細書および請求項の解釈に適用されることが、本発明者らの意図および所望である。
【００１１】
本発明者らはまた、英語の文法の通常の指針も認識している。したがって、名詞、用語、または語句が、ある方法でさらに特徴付けられる、規定される、または狭められることを意図している場合には、そのような名詞、用語、または語句は、英語の文法の通常の指針に従って、付加的形容詞、記述用語、または他の修飾語を明示的に含むであろう。そのような形容詞、記述用語、または修飾語の使用がなければ、そのような名詞、用語、または語句は、上記に記載されるような当業者にとってそれらの明白な通常の英語の意味を与えられる意図がある。
【００１２】
さらに、本発明者らは、３５  Ｕ．Ｓ．Ｃ．§１１２，パラグラフ６の特別規定の規範および適用を完全に熟知している。したがって、発明を実施するための形態または図面の簡単な説明もしくは請求項の中の言葉「機能」、「手段」、または「ステップ」の使用は、本発明を定義するために、３５  Ｕ．Ｓ．Ｃ．§１１２，パラグラフ６の特別規定を発動させる所望を何らかの形で示すことを意図していない。逆に、３５  Ｕ．Ｓ．Ｃ．§１１２，パラグラフ６の規定が本発明を定義するために発動されることを求められる場合、請求項は、正確な語句「〜のための手段」または「〜のためのステップ」を具体的かつ明示的に記述し、また、そのような語句の中で、機能を支援するいかなる構造、材料、または行為も列挙することなく、言葉「機能」も列挙するであろう（すなわち、「［機能を挿入する］の機能を果たすための手段」を記述するであろう）。したがって、請求項が「…の機能を果たすための手段」または「…の機能を果たすためのステップ」を列挙するときでさえも、請求項がまた、その手段もしくステップを支援する、または列挙された機能を果たす、任意の構造、材料、または行為も列挙する場合には、３５  Ｕ．Ｓ．Ｃ．§１１２，パラグラフ６の特別規定を発動させないことが、本発明者の明確な意図である。また、たとえ３５  Ｕ．Ｓ．Ｃ．§１１２，パラグラフ６の規定が請求された側面を定義するために発動されたとしても、これらの側面は、好ましい実施形態に説明される具体的構造、材料、または行為のみに限定されず、加えて、本開示の代替実施形態もしくは形態に説明されるような請求された機能を果たす、または請求された機能を果たすための現在周知である、もしくは後に開発される、同等の構造、材料、または行為である、ありとあらゆる構造、材料、または行為を含むことが意図される。
【００１３】
前述および他の側面、特徴、ならびに利点は、説明および図面から、ならびに請求項から、当業者に明白となるであろう。
【図面の簡単な説明】
【００１４】
本開示は、同様の指定が同様の要素を表す、添付図面と併せて説明されるであろう。
【００１５】
【図１】図１は、浮揚性シールおよび濾過器の第１の実施形態の斜視図である。
【００１６】
【図２】図２は、図１の線Ａ−Ａに沿って得られ、コンテナの中に設置された浮揚性シールの第１の実施形態の断面図である。
【００１７】
【図３】図３は、飲料水濾過器システムの第２の実施形態の分解図である。
【００１８】
【図４】図４は、飲料水濾過器システムの第２の実施形態の部分分解図である。
【００１９】
【図５】図５は、浮揚性シールの第２の実施形態の斜視図である。
【００２０】
【図６】図６は、図５の線Ｂ−Ｂに沿って得られ、濾過器スリーブ内に位置付けられた浮揚性シールの断面図である。
【００２１】
【図７】図７は、飲料水濾過器システムの第３の実施形態の分解図である。
【００２２】
【図８】図８Ａおよび８Ｂは、ノブを有する蓋の実施形態の斜視図である。
【００２３】
【図９】図９Ａおよび９Ｂは、スライダ部品を有する蓋の実施形態の斜視図である。
【００２４】
【図１０】図１０Ａおよび１０Ｂは、バイアスフラップを有する蓋の実施形態の斜視図である。
【００２５】
【図１１Ａ】図１１Ａは、キー状特徴を有する浮揚性シールの第１の実施形態の斜視図である。
【００２６】
【図１１Ｂ】図１１Ｂは、キーチャネルを有する濾過器の第１の実施形態の斜視図である。
【００２７】
【図１２Ａ】図１２Ａは、キーチャネルを有する濾過器の第２の実施形態の斜視図である。
【００２８】
【図１２Ｂ】図１２Ｂは、キー状特徴を有する濾過器の第２の実施形態の斜視図である。
【００２９】
【図１３】図１３は、浮揚性水濾過本体を有する水ピッチャの斜視図である。
【００３０】
【図１４】図１４−１９は、図１３の水ピッチャの異なる図を図示する。
【図１５】図１４−１９は、図１３の水ピッチャの異なる図を図示する。
【図１６】図１４−１９は、図１３の水ピッチャの異なる図を図示する。
【図１７】図１４−１９は、図１３の水ピッチャの異なる図を図示する。
【図１８】図１４−１９は、図１３の水ピッチャの異なる図を図示する。
【図１９】図１４−１９は、図１３の水ピッチャの異なる図を図示する。
【００３１】
【図２０】図２０は、未濾過水が空洞の中に注がれた直後の空洞の基部における浮揚性本体を図示する。
【００３２】
【図２１】図２１は、水の濾過中に空洞内で上昇する際の浮揚性本体を図示する。
【００３３】
【図２２】図２２は、浮揚性本体が空洞の上部まで上昇し、未濾過水が濾過された後の浮揚性本体を図示する。
【００３４】
【図２３】図２３−２５は、図２０−２２の拡大部分を図示する。
【図２４】図２３−２５は、図２０−２２の拡大部分を図示する。
【図２５】図２３−２５は、図２０−２２の拡大部分を図示する。
【００３５】
【図２６】図２６は、浮揚性本体の分解図を図示する。
【００３６】
【図２７】図２７−３０は、ｙリングの異なる図を図示する。
【図２８】図２７−３０は、ｙリングの異なる図を図示する。
【図２９】図２７−３０は、ｙリングの異なる図を図示する。
【図３０】図２７−３０は、ｙリングの異なる図を図示する。
【００３７】
【図３１】図３１は、最初に濾過水を分注するように傾けられたときのピッチャを図示する。
【００３８】
【図３２】図３２は、濾過水が分注される際のピッチャを図示する。
【００３９】
【図３３】図３３は、浮揚性本体がピッチャ基部に向かって自動後退することを示す、全ての濾過水が分注された後のピッチャを図示する。
【００４０】
【図３４】図３４−３６は、図３１−３３の拡大部分を図示する。
【図３５】図３４−３６は、図３１−３３の拡大部分を図示する。
【図３６】図３４−３６は、図３１−３３の拡大部分を図示する。
【００４１】
【図３７】図３７は、水濾過器を含む浮揚性本体を図示する。
【００４２】
【図３８】図３８−４４は、図３７の浮揚性本体の種々の図を図示する。
【図３９】図３８−４４は、図３７の浮揚性本体の種々の図を図示する。
【図４０】図３８−４４は、図３７の浮揚性本体の種々の図を図示する。
【図４１】図３８−４４は、図３７の浮揚性本体の種々の図を図示する。
【図４２】図３８−４４は、図３７の浮揚性本体の種々の図を図示する。
【図４３】図３８−４４は、図３７の浮揚性本体の種々の図を図示する。
【図４４】図３８−４４は、図３７の浮揚性本体の種々の図を図示する。
【００４３】
【図４５】図４５は、浮揚性本体の分解図を図示する。
【００４４】
【図４６】図４６は、浮揚性本体部材の中への回転による水濾過器の挿入を図示する。
【００４５】
【図４７】図４７は、水濾過器の斜視図を図示する。
【００４６】
【図４８】図４８−５４は、輪郭水濾過器の異なる図を図示する。
【図４９】図４８−５４は、輪郭水濾過器の異なる図を図示する。
【図５０】図４８−５４は、輪郭水濾過器の異なる図を図示する。
【図５１】図４８−５４は、輪郭水濾過器の異なる図を図示する。
【図５２】図４８−５４は、輪郭水濾過器の異なる図を図示する。
【図５３】図４８−５４は、輪郭水濾過器の異なる図を図示する。
【図５４】図４８−５４は、輪郭水濾過器の異なる図を図示する。
【００４７】
【図５５】図５５は、浮揚性水濾過本体およびスリーブを有する、水ピッチャの斜視分解図である。
【００４８】
【図５６】図５６−５９は、図５５の水ピッチャの異なる図を図示する。
【図５７】図５６−５９は、図５５の水ピッチャの異なる図を図示する。
【図５８】図５６−５９は、図５５の水ピッチャの異なる図を図示する。
【図５９】図５６−５９は、図５５の水ピッチャの異なる図を図示する。
【００４９】
【図６０】図６０−６２は、異なる位置に浮揚性水濾過本体を伴う図５５の水ピッチャの断面図を図示する。
【図６１】図６０−６２は、異なる位置に浮揚性水濾過本体を伴う図５５の水ピッチャの断面図を図示する。
【図６２】図６０−６２は、異なる位置に浮揚性水濾過本体を伴う図５５の水ピッチャの断面図を図示する。
【発明を実施するための形態】
【００５０】
本開示、その側面、および実装は、本明細書に開示される具体的構成要素または組立手順に限定されない。意図された水濾過器システムおよび／または水濾過器システムのための組立手順と一致する、当技術分野で公知である多くの付加的構成要素および組立手順が、本開示からの水濾過器システムの実装とともに使用するために明白となるであろう。故に、例えば、特定のコンテナ、シール、および濾過器が開示されるが、そのようなコンテナ、シール、および濾過器、ならびに実装構成要素は、水濾過器システムの意図された動作と一致する、そのような水濾過器システムおよび実装構成要素に関して当技術分野で公知であるような任意の形状、サイズ、形式、タイプ、モデル、バージョン、測定、濃度、材料、数量、および／または同等物を備えてもよい。
【００５１】
本開示の一部として考慮される水濾過器システムの種々の実施形態は、システムが、多くの場合、従来の水濾過器システムの中に存在する、無駄な空間を排除するため、当技術分野で以前から公知である水濾過器システムに有利である。例えば、従来の水濾過器システムは、未濾過水がピッチャの中へ濾過されるとそれを保持する、リザーバを含む。水の全てまたは殆どが濾過されておらず、未濾過リザーバの中にあるとき、ピッチャは、空またはほぼ空であり、したがって、無駄な空間である。逆に、水の全てまたは殆どが濾過され、ピッチャの中にあるとき、未濾過リザーバは、空またはほぼ空であり、したがって、無駄な空間である。本質的に、次いで、従来の水濾過器システムの３０％〜５０％は、空または無駄な空間である。本空間は、冷蔵庫または食事エリアでは重大である。これらの従来の水濾過器システムとは対照的に、本開示の一部として考慮される水濾過器システムの種々の実施形態は、浮揚性シールの使用を通して、システム内の実質的に全ての空または無駄な空間を排除する。
【００５２】
図１は、交換可能な水濾過器４０を囲繞する浮揚性シール５０の非限定的実施形態を描写する。図１で描写される非限定的実施形態では、濾過器４０は、浮揚性シール５０上で略中心に位置付けられる。他の実施形態では、濾過器４０は、浮揚性シール５０上の他の場所に位置付けられてもよい。特定の実施形態では、平衡の懸念に起因して、より均等に濾過すると、上向きに移動するように、実質的に浮揚性シール５０の平衡中心に濾過器を位置付けることが有利であり得る。濾過器４０は、重量に関して、浮揚性シール５０の上方に位置付けられる未濾過水を、濾過器４０を通して濾過器４０の下方の面積へ濾過するように構成される。１つ以上の実施形態では、重力以外の付加的力は、未濾過水が濾過器４０を通過するために要求されない。濾過器４０は、当技術分野で以前から公知であり、浮揚性シール５０に結合するように適合される、任意の濾過器を備えてもよい。１つ以上の実施形態では、濾過器４０は、木炭濾過器または任意の他の公知の水濾過デバイスを備える。使用される具体的タイプの水濾過器は、別様に示されない限り、本明細書に図示される実施形態にとって重要ではない。より特定の実施形態は、濾過器４０の近似寿命または濾過器４０が交換を必要とするときを示す、汚染または消耗インジケータを有する、濾過器４０を備えてもよい。別の側面によると、濾過器４０は、コンテナ内の水の温度を測定および表示するように構成されてもよい。
【００５３】
濾過器４０の１つ以上の実施形態は、本明細書で考慮される水濾過システムの種々の側面によると、固定して、または除去可能に浮揚性シール５０に結合されてもよい。図２で描写される非限定的実施形態で描写されるように、濾過器４０は、少なくとも部分的に浮揚性シール５０の本体３８を通して延在する、濾過器開口部３６上のレッジまたは辺縁４４上に静置するように定寸される。本および他の実施形態では、濾過器４０は、シール５０と関連付けられる交換可能な水濾過器４０の単純な効率的除去および交換のために適合される。１つ以上の実施形態では、濾過器４０は、濾過器４０から延在し、濾過器開口部３６上の辺縁４４と係合するように位置付けられる、濾過器リング４１を備えてもよい。そのような係合は、定位置で濾過器４０を保持し、水が、濾過器４０のみを通して浮揚性シール５０の上方から浮揚性シール５０の下方まで通過することを可能にする。
【００５４】
浮揚性シール５０は、それとともに浮揚性シール５０が利用されるであろう、コンテナ４９の形状を補完する任意の形状を備えてもよい。図１で描写される特定の非限定的実施形態では、浮揚性シール５０は、形状が略円筒形である。浮揚性シール５０は、次いで、ピッチャまたはカップ等の略円筒形コンテナ４９内で使用するために構成される。ピッチャは、典型的には、カップよりも大きい。他の実施形態では、浮揚性シール５０は、限定されないが、（上方または下方から視認されたときに）卵形、三角形、正方形、または任意の他の多角形を含む、それとともに浮揚性シール５０が利用される、コンテナ４９の形状を補完する任意の形状を備えてもよい。
【００５５】
図２は、コンテナ４９内に位置付けられる、浮揚性シール５０であって、その中に搭載された濾過器４０を有する、浮揚性シール５０の非限定的実施形態の断面図を描写する。１つ以上の実施形態では、浮揚性シール５０は、濾過器４０を受容するように定寸される、それを通して延在する濾過器開口部３６を備える、濾過器本体３８を備える。濾過器開口部３６は、リング４１を備えてもよい、または代替として、その中の濾過器４０の搭載を可能にするように狭くなってもよい。
【００５６】
前述で参照されたように、シールは、典型的には、浮揚性シール５０を備える。図２で描写される非限定的実施形態では、浮揚性シール５０は、空気、または限定ではないが、ヘリウム、水素、酸素、もしくは窒素等の他のガスで充填された、ガス充填環状チャンバ４２をその中に収納する、浮揚性本体３８を備える。１つ以上の実施形態では、環状チャンバは、浮揚性シール５０の濾過器開口部３６を囲繞する。他の実施形態では、浮揚性シール５０は、水が濾過器４０を通過した後に、浮揚性シール５０が濾過水上に浮動することを可能にする、任意の形状を備える複数のチャンバを備える。特定の実施形態では、複数のチャンバは、浮揚性シール５０の浮動特性の平衡を保つように、浮揚性シール５０の周囲に均等に配置される。特定の実施形態では、環状チャンバ４２は、その中に加圧ガスを備えてもよい。なおも他の実施形態では、発泡体等の浮揚性材料は、交換する、または浮揚性シール５０上の１つ以上のチャンバと組み合わせて使用されてもよい。特定の実施形態では、チャンバ４２は、気密性である。
【００５７】
図１および２で描写される非限定的実施形態で描写されるように、浮揚性シール５０はさらに、浮揚性シール５０の外面４７から外向きに延在する、１つ以上の密閉リング４６を備えてもよい。特定の実施形態では、浮揚性シール５０は、浮揚性シール５０の外面４７の上部分上に位置付けられる、１つ以上の密閉リング４６と、浮揚性シール５０の外面４７の下部分上に位置付けられる、１つ以上の密閉リング４６とを備える。さらに具体的には、１つ以上のリングは、浮揚性シール５０から延在する環状アーム４８上に位置付けられてもよい。いくつかの実施形態では、環状アーム４８は、浮揚性シールの本体３８から角度を付けて延在し、チャネル３４が、環状アーム４８と浮揚性シール５０の本体３８との間に形成される。一側面によると、浮揚性シール５０は、上環状アーム４８と、下環状アーム４８とを備え、各環状アーム４８は、１つ以上の密閉リング４６を備える。他の側面によると、浮揚性シール５０は、上または下環状アーム４８のうちの１つのみを備える。１つ以上の実施形態では、環状アーム４８は、浮揚性シール５０から離れるように付勢される。１つ以上のアーム４８および／もしくはリング４６は、浮揚性シール５０の上方に保持される未濾過水が、シールの下方のコンテナの面積の中へ浮揚性シール５０とコンテナ４９の壁との間を通過することを制限するように、浮揚性シール５０上に構成され、位置付けられる。
【００５８】
図２によって図示されるように、浮揚性シール５０は、浮揚性シール５０がピッチャ４９の側面に接触する、第１の点、線、または表面（集合的に「点」）と、浮揚性シール５０の上部と底部との間の距離の半分を上回って、浮揚性シール５０のための平衡点として作用する第１の点から離れている、第１の点の下方の第２の点（点、線、または表面）とを含む。シール接点と、ピッチャの側壁に接触し得るように位置付けられる、シールから垂直にオフセットされた第２の点とを含むことによって、浮揚物は、ピッチャ底部に関してその相対的配向を維持することができる。第２の点は、図２の実施例または図４−７の実施例（平衡タブ２２）と同様に、ピッチャまたはスリーブの側面に接触してもよい。代替として、第２の点は、図２０−２２の実施例、図３１−３３の実施例、または図６０−６２の実施例と同様に、ピッチャまたはスリーブの側壁と常に直接接触していないが、ピッチャ底部に関して浮揚物の相対的配向を維持するために必要とされる場合、側面に接触するために利用可能であるように、第２の点とピッチャまたはスリーブ側壁との間の間隙を含んでもよい。濾過器浮揚物の部品とその周辺の表面との間の摩擦を低減させるために、濾過器浮揚物は、シールのみが周辺の表面に接触するように構築されてもよい。わずかな間隙を含むことによって、濾過器浮揚物シールは、より容易に上下に移動し、ピッチャが傾けられる場合、または濾過器浮揚物が突かれる、もしくは空洞に流れ込み、浮揚物の１つの側面のみに接触する水等の圧力が浮揚物に不均等に印加される場合に、ピッチャの中の濾過器浮揚物の配向を維持することができる。
【００５９】
図２で描写されるように、コンテナ４９は、典型的には、浮揚性シール５０の形状を補完する形状を備える。例えば、図２で描写される非限定的実施形態では、コンテナ４９とシールの外側境界は両方とも、形状が実質的に略円筒形である。他の実施形態では、コンテナ４９は、浮揚性シール５０がコンテナ４９の１つまたは複数の壁内で摺動可能であり、浮揚性シールとコンテナ４９の１つまたは複数の壁との間の水の通過を依然として制限する、もしくはある場合には防止するように、浮揚性シール５０の形状を補完する任意の形状を備えてもよい。コンテナ４９は、同様に、コンテナ４９内の浮揚性シール５０の摺動および浮揚性シール５０とコンテナ４９の１つまたは複数の壁との間の浮揚性シール５０の維持を可能にするように定寸される。典型的には、コンテナ４９の壁は、コンテナ４９の基部と略垂直または垂直である。したがって、浮揚性シール５０と界面接触するコンテナ４９の一部は、上記に説明される摺動および密閉特徴の組み合わせを可能にする、一様な直径または幅を備える。いくつかの側面によると、浮揚性シール５０の円筒形性質および／または浮揚性シール５０の環状アーム４８は、いったん浮揚性シール５０がコンテナ４９内に来ると、浮揚性シール５０が傾かないように阻止する。
【００６０】
浮揚性シール５０は、種々の材料のうちのいずれかから作製されてもよい。１つ以上の実施形態では、浮揚性シール５０は、プラスチックシールを備える。より具体的には、浮揚性シール５０は、相互に超音波溶接される、接着剤で接着される、圧縮嵌合される、または別様に結合される、プラスチック部品を備える。特定の非限定的実施形態では、浮揚性シール５０または本明細書に開示される任意の浮揚性シールは、ポリプロピレン、ならびに熱可塑性エラストマ（ＴＰＥ）またはＧＬＳ  ＶｅｒｓａｆｌｅｘＴＭ  ＣＬを備える浮揚物オーバーモールドを備えてもよい。環状アーム４８および／または密閉リング４６は、同様にプラスチック、もしくは代替として、ゴム材料であってもよい。なおも他の実施形態では、浮揚性シール５０は、ゴムまたはシリコンシールを備える。本実施形態のコンテナ４９または本明細書に開示される任意の他のコンテナ、ピッチャ、カップ、および同等物は、限定されないが、プラスチック、金属、木、ガラス、ゴム、ポリカーボネート、透明アクリル、および同等物等の当技術分野で公知である種々の材料のうちのいずれかから作製されてもよい。本明細書に開示されるコンテナのうちのいずれかはさらに、ＴＰＥおよび／またはＧＬＳ  ＶｅｒｓａｆｌｅｘＴＭ  ＯＭを備える、ピッチャオーバーモールドを備えてもよい。１つ以上の実施形態では、コンテナは、コンテナ４９の基部から外向きに延在する、吐水口またはストローを備える。代替として、コンテナ４９は、ストローまたは吐水口を受容するように構成される開口部をコンテナ４９の基部に備えてもよい。コンテナ４９はさらに、濾過中に吐水口またはストローを塞ぐプラグを備えてもよい。コンテナ４９の基部からの吐水口またはストロー開口部の包含を通して、濾過水が、コンテナ４９から注ぎ出される、または吸い出されてもよい一方で、未濾過水は、依然として濾過器４０を通過している。
【００６１】
動作時、水を濾過する方法は、本明細書に開示される浮揚性シール５０およびコンテナ４９の実施形態を利用してもよい。浮揚性シール５０は、典型的には、コンテナ４９の中に設置される。濾過器４０は、コンテナ４９の中に浮揚性シール５０を設置することに先立って、またはコンテナ４９の中に浮揚性シール５０を設置した後に、浮揚性シール５０に搭載もしくは結合されてもよい。浮揚性シール５０は、空であるときにコンテナ４９の底部上に設置される、または代替として、コンテナ４９の中にすでに存在している濾過水上に設置されてもよい。浮揚性シール５０は、シールがコンテナ４９の壁と浮揚性シール５０との間に形成されるように位置付けられる。そのような位置付けでは、典型的には、浮揚性シール５０の上方の面積と浮揚性シール５０の下方の面積との間の流体連通のみが、濾過器４０を通っている。
【００６２】
いったん浮揚性シール５０がコンテナ４９の中に適切に位置付けられると、未濾過水は、コンテナの中に注がれる。浮揚性シール５０は、濾過水がシールを浮揚させ始めることに先立って、初期濾過水が濾過するための付加的空間を提供するように、特定の実装では、コンテナ４９の底基部の約０．２５〜１．０インチ上方に位置付けられてもよい。いくつかの実施形態では、スペーサ構成要素は、浮揚性シール５０とコンテナ５０の内側の基部の底面との間に間隙を確立するように、浮揚性シール５０の設計の中に結合または統合されてもよい。さらに他の実施形態では、図２の浮揚性シール５０の構造に図示されるように、浮揚性シール５０は、コンテナ４９の内側の基部の底面に隣接して設置されてもよく、濾過器４０と本体３８の浮揚性シール５０の底部との間の間隙は、濾過水が浮揚性シール５０を浮動させ始めることを可能にする。
【００６３】
浮揚性シール５０および濾過器は、未濾過水が濾過器４０を通過すると浮揚性シール５０の上方の未濾過チャンバまたは面積の中で未濾過水を保持する。水は、濾過器４０の上方の面積から、浮揚性シール５０とコンテナ４９の壁の間ではなく、濾過器４０のみを通して浮揚性シール５０の下方の面積まで通過する。水が濾過器４０を通過すると、浮揚性シール５０は、浮揚性シール５０の下方の濾過水上に浮動し、その水の上方にも浮動するように、それの上方の水を通して付勢され、したがって、浮揚性シール５０の下方の面積の容積を増加させ、浮揚性シール５０の上方の面積の容積を減少させる。いったん浮揚性シール５０の上方の全ての水が、浮揚性シール５０を通過すると、浮揚性シール５０および濾過器４０は、コンテナ４９から除去されてもよい。他の実施形態では、浮揚性シール５０および濾過器４０を除去することなく、水がコンテナ４９から注がれ得るように、コンテナ４９の底部から延在する吐水口が、コンテナ４９内に含まれてもよい。
【００６４】
いくつかの側面によると、水濾過器システムはさらに、浮揚性シール３０および濾過器４０に加えて、濾過器スリーブ２０を備えるように構成されてもよい。具体的には、図３は、ピッチャ２と、濾過器スリーブ２０と、浮揚性シール３０と、蓋６０とを備える、水濾過器システム１０の非限定的実施形態の分解図を描写する。浮揚性シール３０および濾過器４０は、本書の他の場所に説明されるような浮揚性シールおよび濾過器ならびにそれらの特性および代替物のうちのいずれかを備えてもよい。
【００６５】
ピッチャ２は、当技術分野で公知であり、または本書の他の場所に説明され、濾過器スリーブ２０とともに使用するために適合される、任意のコンテナを備えてもよい。１つ以上の実施形態では、ピッチャ２は、その中に濾過器スリーブ２０を収納するように定寸されるチャンバ７を形成する、１つ以上の壁４と、基部６と、基部６の遠位のスリーブ開口部９とを備える。スリーブ開口部９は、濾過器スリーブ２０の少なくとも一部がスリーブ開口部９を通過することを可能にするよう定寸および構成される。いくつかの側面によると、ピッチャ２は、そこへの濾過器スリーブ２０の搭載を可能にするように構成される。スリーブ開口部９は、典型的には、濾過器スリーブ２０上の搭載辺縁１６と界面接触し、スリーブ開口部９内に濾過器スリーブ２０を搭載する、周縁８によって境界される。より具体的には、ピッチャ２は、濾過器開口部９に近接する周縁８を備えてもよい。いくつかの側面によると、周縁８は、ピッチャ蓋３と一体的に形成される。ピッチャ蓋３は、ピッチャ２の壁４と一体的であり得る、または代替として、基部６の反対側の壁４に除去可能に結合されてもよい。付加的ねじ山または係止タブは、ピッチャ蓋３への濾過器スリーブ２０の除去可能な結合のためにスリーブ開口部９を境界してもよい。ピッチャはさらに、少なくとも部分的にピッチャ蓋３を通って延在する、吐水口開口部または注水口を備えてもよい。なおも他の実施形態では、周縁８は、ピッチャ蓋３を伴わずに形成されてもよい。
【００６６】
図３および４はまた、濾過器スリーブ２０の非限定的実施形態も描写する。濾過器スリーブ２０は、典型的には、第１または底部開放端１１と、第１の開放端１１の反対側にあり、第１の開放端１１と流体連通する、第２または上部開放端１２とを伴う、中空スリーブを備える。濾過器スリーブ２０は、限定されないが、図３および４で描写されるように、円筒形スリーブ等の濾過器スリーブ２０の１つ以上の壁１３によって形成される、種々の形状を備えてもよい。他の実施形態では、濾過器スリーブの断面形状は、卵形、三角形、長方形、正方形、五角形等を備えてもよい。濾過器スリーブ２０は、典型的には、ピッチャ２内のスリーブ開口部３の形状を補完して成形される。１つ以上の実施形態では、濾過器スリーブの壁１３の内面１８は、ゼロドラフト壁を備える。
【００６７】
上記のように、濾過器スリーブ２０の一側面は、濾過器スリーブ２０の第２または上端１２に近接する搭載辺縁１６を備える。搭載辺縁１６は、搭載辺縁１６がピッチャ２の周縁８と界面接触または係合しているときに、濾過器スリーブ２０の底部または第１の端部１１がピッチャ２の基部６と直接接触しないように、濾過器スリーブ２０上に位置付けられる。すなわち、搭載辺縁１６がピッチャ２の周縁８と係合される、またはピッチャ蓋３に別様に除去可能に結合されるときに、空間が、濾過器スリーブ２０の底端１１とピッチャの基部６との間に存在する。搭載辺縁１６は、濾過器スリーブ２０の１つ以上の壁１３の外面から外向きに延在してもよく、濾過器スリーブ２０の外面全体を囲繞してもよい。他の実施形態では、搭載辺縁１６は、濾過器スリーブ２０の壁１３の外面から外向きに延在し、ピッチャ２内に懸架された濾過器スリーブ２０を保持する、複数の搭載辺縁を備える。搭載辺縁１６は、典型的には、ピッチャ２の周縁８と界面接触するように定寸され、位置付けられる。いくつかの実施形態では、濾過器スリーブ２０は、ピッチャ蓋３上のタブまたはねじ山と係合するためのねじ山またはタブを備えてもよい。搭載辺縁１６自体は、ピッチャ蓋３上のタブまたはねじ山と係合してもよい。
【００６８】
濾過器スリーブ２０の１つ以上の実施形態はさらに、スリーブの上端に近接するスリーブねじ山またはタブを備える。濾過器スリーブ２０の上端１２に近接するねじ山またはタブは、典型的には、濾過器スリーブ２０へのスリーブ蓋６０の除去可能な結合のために、スリーブ蓋６０上のねじ山またはタブと係合するように構成される。一側面によると、濾過器スリーブ２０のねじ山またはタブは、濾過器スリーブ２０の上端１２と濾過器スリーブ２０の搭載辺縁１６との間に位置付けられる。
【００６９】
濾過器スリーブ２０の１つ以上の実施形態はさらに、濾過器スリーブ２０の第１または底端１１に近接する停止辺縁１４を備える。図４は、停止辺縁１４を備える濾過器スリーブ２０を含む、水濾過器システム１０の非限定的実施形態の断面図を描写する。いくつかの側面によると、停止辺縁１４は、濾過器スリーブ２０の１つ以上の壁１３の内面１８から内向きに延在する。停止辺縁１４は、浮揚性シール３０と係合し、浮揚性シール３０が濾過器スリーブ２０からピッチャ２の中へ摺動することを制限するように定寸される。
【００７０】
濾過器スリーブ２０の壁１３の内面１８は、典型的には、濾過器スリーブ２０の上端１２と底端１１との間の浮揚性シール３０の摺動を可能にするように、濾過器スリーブ２０の上端１２と停止辺縁１４との間で平滑である。１つ以上の実施形態では、濾過器スリーブ２０の内面１８は、浮揚性シール３０上のスロットと整合するように構成される、軌道を備えてもよい。濾過器スリーブ２０および水ピッチャ２は、別個に形成され、後に組み立てられる。
【００７１】
図５および６は、浮揚性シール３０の非限定的実施形態を描写する。浮揚性シール３０は、上端１２と底端１１との間の濾過器スリーブ２０内で摺動するように構成される。より具体的には、浮揚性シール３０は、ピッチャ２内の水上に浮動し、ピッチャ２内の水位が濾過器スリーブ２０の底端１１の上方にあるときに、濾過器スリーブ２０の底端１１の上方に濾過器スリーブ２０内で上昇するように構成される。浮揚性シール３０はまた、水濾過器４０に除去可能に結合または搭載するように構成される。水濾過器４０が浮揚性シール３０に搭載され、浮揚性シール３０が濾過器スリーブ２０内に位置付けられ、水が浮揚性シール３０の上方で濾過器スリーブ２０内に保持されるとき、浮揚性シール３０は、水が浮揚性シール３０の外面２３と濾過器スリーブ２０の壁１３の内面１８との間を通過することを制限するように構成される。代わりに、浮揚性シール３０は、水が水濾過器４０を通して濾過器スリーブ２０からピッチャ２まで通過することのみを可能にするように構成される。
【００７２】
浮揚性シール３０は、典型的には、濾過器スリーブ２０の形状を補完して成形される。例えば、図３および４で描写される非限定的実施形態では、浮揚性シール３０は、濾過器スリーブ２０の円筒形チャネルを補完するように形状が略円筒形である。１つ以上の実施形態では、浮揚性シール３０は、浮揚性シール３０の外面２３上に位置付けられる複数の平衡タブ２２を備える。複数の平衡タブ２２は、濾過器スリーブ２０の壁１３の内面１８と界面接触するように定寸される。平衡タブ２２は、他の実施形態における他の第２の接点のように、浮揚性シールが濾過器スリーブ２０内で傾かない、または揺れないように阻止する一方で、濾過器スリーブ２０の内面１８と接触している浮揚性シール３０の表面積の量も減少させる。濾過器スリーブ２０の内面１８と接触している表面積を減少させることは、浮揚性濾過器３０と濾過器スリーブ２０との間の摩擦を低減させ、したがって、濾過器スリーブ２０内の浮揚性濾過器３０のより容易な摺動運動を可能にする。浮揚性シール３０はさらに、例えば、限定ではないが、図５および６に図示されるように、浮揚性シール３０の上部と底部との間に凹状部分を備えてもよい。
【００７３】
浮揚性シールは、典型的には、濾過器スリーブ２０の壁１３の内面１８と界面接触するように定寸され、位置付けられる、密閉リング２４をさらに備える。図５および６に示される非限定的実施形態では、密閉リング２４は、浮揚性シールの上部に近接する。他の実施形態では、密閉リング２４は、限定されないが、底部分および中心部分等の浮揚性シール３０上の他の場所に位置付けられてもよい。図６は、密閉リング２４を有する浮揚性シール３０の断面図を描写する。いくつかの側面によると、密閉リング２４は、固定して、または除去可能に、いずれかで浮揚性シール３０に結合される、ゴムシールを備える。いくつかの実施形態では、密閉リング２４は、浮揚性シール３０にオーバーモールドされる。密閉リング２４は、水が浮揚性シール３０の外面２３と濾過器スリーブ２０の壁１３の内面１８との間を通過することを制限するように構成される。密閉リング２４はまた、浮揚性シール３０が濾過器スリーブ２０内で摺動することを可能にする一方で、同時に、浮揚性シール３０の外面２３と濾過器スリーブ２０の壁１３の内面１８との間の水の通過を制限するように構成される。いくつかの側面によると、浮揚性シールは、複数の密閉リング２４を備える。密閉リング２４は、ゴム、プラスチック、または任意の他の好適な材料を備えてもよい。
【００７４】
浮揚性シール３０の側面はさらに、浮揚性シールの他の実施形態に関連する、本書内の他の場所に説明される浮揚性シールの他の要素のうちのいずれかを備えてもよい。例えば、浮揚性シール３０は、濾過器開口部２８と、濾過器４０を濾過器開口部２８に結合および搭載するためのレッジまたは辺縁とを備えてもよい。いくつかの側面によると、浮揚性シール３０は、濾過器開口部２８の周囲の辺縁上に位置付けられる、オーバーモールドされたシールを備えてもよい。オーバーモールドされたシールは、水が濾過器４０と浮揚性シール３０との間に浸出することを制限するように構成される。他の側面では、濾過器４０は、浮揚性シール３０に螺合して結合されてもよい。なおも他の実施形態では、浮揚性シール３０は、特に、濾過器開口部２８に隣接する辺縁において、テクスチャ加工された、波状、または他の非平面的な表面を備えてもよい。濾過器３０は、濾過器４０と浮揚性シールとの間にシールを形成する、補完的なテクスチャ加工、波状加工、または他の非平面的な表面を備えてもよい。これらまたは他の実施形態では、濾過器４０は、浮揚性シール３０にスナップ嵌合してもよい。
【００７５】
加えて、浮揚性シール３０が水上に浮動するように構成されると、浮揚性シール３０は、限定されないが、ガス充填チャンバ２５等の浮揚性シールが水上に浮動することを可能にする本書内の他の場所に説明される構成または材料のうちのいずれかを備えてもよい。本明細書に説明される実施形態のうちのいずれかでは、浮揚性シール３０は、濾過器４０がオフセットされる、または浮揚性シール３０の底部と平面的ではないように構成されてもよい。このように、濾過器４０は、浮揚性シール３０の下方の濾過水を避けて留まる。
【００７６】
動作時、浮揚性シール３０および濾過器４０は、水が浮揚性シール３０および濾過器４０の上方で濾過器スリーブ２０内に保持されないときに、濾過器スリーブ２０内のいずれかの場所に静置してもよい。いくつかの実施形態によると、浮揚性シール３０および濾過器４０は、水が浮揚性シール３０および濾過器４０の上方で濾過器スリーブ２０内に保持されないときに、いずれか低い方である、ピッチャ２または停止辺縁１４のいずれかの内側で水上に静置してもよい。水が浮揚性シール３０および濾過器４０の上方の濾過器スリーブ２０に追加されると、水は、濾過器４０のみを通して濾過器スリーブ２０からピッチャ２まで通過し始める。水が濾過器４０を通して濾過器スリーブ２０からコンテナまで通過すると、ピッチャ２内の水位は、上昇し、浮揚性シール３０は、ピッチャ２および濾過器スリーブ２０内の水上に浮動する。したがって、浮揚性シール３０は、ピッチャ２内の水が上昇すると濾過器スリーブ２０内で上昇する。
【００７７】
本開示の一部として考慮される浮揚性シールシステムの実施形態は、種々の速度で水を濾過するように構成される。例えば、濾過器４０のうちのいくつかは、毎分約１／２〜約３カップの水を濾過するように構成される。より具体的には、濾過器４０のうちのいくつかは、毎分約１〜３カップの水を濾過するように構成される。さらに具体的には、濾過器４０のうちのいくつかは、毎分約１カップの水を濾過するように構成される。
【００７８】
図３の非限定的実施形態で描写されるように、水濾過器システムの種々の実施形態はさらに、スリーブ蓋６０を備える。スリーブ蓋６０は、典型的には、コンテナ蓋３または濾過器スリーブ２０のいずれかに除去可能に結合するように構成される。図３の非限定的実施形態では、スリーブ蓋６０は、除去可能に、かつ螺合して、濾過器スリーブ２０に結合するように構成される。いくつかの実施形態によると、濾過器スリーブ２０はさらに、スリーブ蓋６０を除去することなく、ユーザが水を濾過器スリーブ２０の中に挿入することを可能にする、１つ以上の開口部５６と、漏斗形部分５８とを備える。１つ以上の開口部は、図１０の非限定的実施形態で描写されるように、バイアスフラップによって被覆されてもよい。
【００７９】
図７は、スリーブ蓋６２、浮揚性シール３０、および濾過器スリーブ６４の他の非限定的実施形態を描写する。図３の非限定的実施形態では、スリーブ蓋６０が、濾過器スリーブ２０の外面と螺合して結合する一方で、図５の非限定的実施形態では、スリーブ蓋６２は、濾過器スリーブ６４の内部表面６５に螺合して結合するように構成される。例えば、浮揚性シール３０は、濾過器スリーブ６４の中に挿入されてもよく、次いで、蓋６２の開放した第１または上端７４におけるねじ山付き部分は、濾過器スリーブ６４の内部表面６５上のねじ山付き部分７６に螺合して結合されてもよい。
【００８０】
図７で描写される実施形態等のいくつかの実施形態は、限定されないが、ペット用の水ボウル等の別の装置に除去可能に結合するように構成される濾過器スリーブ６４を備える。例えば、濾過器スリーブ６４の開放した第２または底端７２は、ペット用皿に除去可能に結合してもよい。動作時、浮揚性シール３０および濾過器スリーブ６４は、本書内の他の場所に説明されるものと同様に構成され、同様に稼働してもよい。
【００８１】
いくつかの実施形態によると、スリーブ蓋は、漏斗形部分と、漏斗形部分の基部における複数の小さい孔とを備える。本構成は、水がより容易に濾過器スリーブの中に挿入されることを可能にする。いくつかの側面によると、濾過器カップの中心部分は、複数の小さい孔の開放または閉鎖のいずれかを行うように位置の間で移動可能である。図８Ａおよび８Ｂは、スリーブ蓋８０の別の非限定的実施形態を描写する。本特定の実施形態では、スリーブ蓋８０は、漏斗形部分８６を備える。本特定の実施形態はさらに、２つの位置の間で移動可能であるスリーブ蓋８０上のノブ８２を備える。ノブ８２が第１の位置（図８Ａに示される）まで引き上げられるとき、水は、スリーブ蓋８０を通過することを可能にされる。ノブ８２が第２の位置（図８Ｂに示される）まで押し下げられるとき、水は、スリーブ蓋８０を通過することを制限される。ノブ８２が押し下げられて回転されるとき、スリーブ蓋８０は、除去されてもよい。スリーブ蓋８０は、本書に説明される水濾過器システムのうちのいずれかとともに使用するために適合されてもよい。
【００８２】
図９Ａおよび９Ｂは、スリーブ蓋１００の別の非限定的実施形態を描写する。本特定の実施形態では、スリーブ蓋１００は、スライダ部品１０２を備える。スライダ部品１０２は、スリーブ蓋１００上の開口部１０４が、未濾過水が濾過器スリーブ２０に進入することを可能にするように被覆されていないときに、ピッチャの吐水出口を被覆するように構成される。スライダ部品１０２が開口部１０４を被覆するように摺動されるとき、吐水出口は、濾過水が吐水口を通してコンテナからカップに注がれることを可能にするように被覆されていない。スリーブ蓋１００はさらに、係止位置から係止解除位置までスリーブ蓋１００を回転させるために使用され得る、くぼみを備えてもよい。スリーブ蓋１００は、本書に説明される水濾過器システムのうちのいずれかとともに使用するために適合されてもよい。
【００８３】
図１０Ａおよび１０Ｂは、スリーブ蓋９０の別の非限定的実施形態を描写する。本非限定的実施形態では、濾過器蓋９０は、漏斗形部分９６を備える。漏斗形部分９６の基部には、バイアスフラップ９２がある。バイアスフラップ９２は、力がバイアスフラップ９２に及ぼされない限り、濾過器蓋９０内の開口部９４を閉鎖する。蛇口からの水がバイアスフラップ９２と接触するとき、力は、典型的には、バイアスフラップ９２を押し下げ、開口部９４の被覆を取り、水が濾過器スリーブ２０に進入することを可能にするために十分に強い。濾過器蓋９０はさらに、ユーザが蓋９０をねじで留める、および外すことを可能にする隆起した小突起を備えてもよい。スリーブ蓋９０は、本書に説明される水濾過器システムのうちのいずれかとともに使用するために適合されてもよい。
【００８４】
図１１Ａおよび１１Ｂは、水濾過器システムの一側面による、浮揚性シール１１０および濾過器１２０の非限定的実施形態を描写する。１つ以上の実施形態では、浮揚性シール１１０は、キーとして作用し、濾過器１２０と適切に整合し、それを定位置に係止する、濾過器開口部１１２上の突出タブ１１４を備える。濾過器１２０は、濾過器開口部１１２上の突出タブ１１４と係合するように定寸される、補完的な位置付けられたスロット１２２を備えてもよい。いくつかの側面によると、浮揚性シール１１０はさらに、濾過器開口部１１２を囲繞する角度付き縁１１８を備える。そのような実施形態では、濾過器１２０は、典型的には、２つの角度付き縁１１８、１２４が相互に界面接触し、濾過器１２０が浮揚性シール１１０に搭載されるように、浮揚性濾過器１１０の角度付き縁１１８を補完する角度付き縁１２４を含む。浮揚性シール１１０は、本明細書に開示される任意の他の浮揚性シールの側面を備えてもよい。浮揚性シール１１０および濾過器１２０は、本開示で考慮される任意の水濾過器システムとともに使用するために適合されてもよい。
【００８５】
図１２Ａおよび１２Ｂは、浮揚性シール１４０および濾過器１３０の付加的な非限定的実施形態を描写する。いくつかの側面によると、浮揚性シール１４０は、濾過器開口部１４２の中へ延在する突出タブ１３４を備え、濾過器１３０は、スロット１３２を備える。スロット１３２は、スロット１３２を突出タブ１３４と整合させ、押下し、次いで、濾過器１３０を回転させることによって、濾過器１３０が定位置に係止されるように構成される。浮揚性シール１４０は、本明細書に開示される任意の他の浮揚性シールの側面を備えてもよい。浮揚性シール１４０および濾過器１３０は、本開示で考慮される任意の水濾過器システムとともに使用するために適合されてもよい。
【００８６】
ここで図１３を参照すると、概して、水ピッチャ２００として示される、携帯用水濾過システムの別の例示的実施形態の斜視図が示されている。ピッチャ２００の上面図が、図１４に示され、正面図が、図１５に示され、側面図が、図１６に示され、端面図が、図１７に示され、別の側面図が、図１８に示される。ピッチャ２００は、蓋２１２が除去された図１９に示されるように、その中に空洞２０８をともに形成する、略円筒形側壁２０４および基部２０６によって形成される水コンテナ２０２を備えると見なされる。ピッチャは、ハンドル２１０と、枢動可能な蓋２１２とを有する。充填開口部２１４は、蓋２１２に形成され、開口部２１４にわたって配置される偏向可能なフラップ２１６を備えることが示される。フラップ２１６は、水が開口部２１４を通して注入されることを選択的に可能にし、未濾過水でピッチャ２００を充填し、コンテナからの濾過水の噴出を防止するように構成される。ピッチャは、ピッチャの上周縁２２０に近接する側壁２０４の上部分に注水口２１８を有する。注水口２１８は、図２０に示されるように、側壁２０４に形成されるチャネル（または吐水口）２２２を介して、外壁２４３と内壁２４４との間で、空洞２０８の内側に濾過水を分注するように構成され、チャネル２２２は、上周縁２２０からピッチャ２００の基部２０６に近接する空洞２０８まで延在する。図２２に示されるように、チャネル２２２は、通路２４９を通して空洞２０８と流体連通してもよい。いくつかの実施形態によると、通路２４９は、距離２４６によって基部２０６の上方で離間され得る、内壁２４４の末端２４５によって画定されてもよい。浮揚性本体２３０が基部２０６に接近すると、通路２４９は、サイズが縮小し得る。いくつかの実施形態では、浮揚性本体２３０のシール２５０は、浮揚性本体２３０が空洞２０８内の最低アクセス可能点にあるときに末端２４５の上方に位置する。
【００８７】
図１３−１９に図示される非限定的ピッチャ実施例は、略円筒形側壁を含むが、対応して成形された浮揚性本体が使用されることを前提として、他の側壁形状が代替として使用され得ることを理解されたい。例えば、円筒形側壁の円形断面の代わりに、卵形断面、楕円形断面、アーチ形断面、または正方形もしくは長方形断面が使用され得ることが具体的に考慮される。
【００８８】
ここで図２０、２１、および２２を参照すると、ピッチャ２００内の濾過水の種々の水位に関して、図１７に示されるような断面Ａ−Ａに沿って得られたピッチャ２００の断面図が示されている。図２０は、交換可能な水濾過器２３４を受容する、中心に位置する濾過器アダプタ開口部２３２を含む、筐体２３１を備える浮揚性本体２３０を示す。浮揚性本体２３０は、空洞２０８内に水がないとき、および未濾過水が最初にピッチャ２００の中に注がれるときに、空洞２０８の底部に存在する。浮揚性本体２３１部材は、浮力を浮揚性本体２３０に提供するガス充填空洞２３６を有する、ドーナツのような略環状形状を有する。
【００８９】
図２１は、重力が、未濾過水を保持する空洞２０８の上部分２３８から、濾過水を保持する空洞２０８の下部分２４０まで、水を濾過させる際の空洞２０８の中間部における浮揚性本体２３０を図示する。浮揚性本体２３０は、下部分２４０の中の濾過水の量が増加し、上部分２３８の中の未濾過水の量が減少すると、空洞２０８内で上昇する。種々の実施形態によると、浮揚性本体２３０は、ピッチャ内で上下に移動するとピッチャ基部２０６の平面的な底面２４２と平行に維持される、平面的な底面２４１を有する。
【００９０】
図２２は、上部分２３８の中の未濾過水が下部分２４０の中へ完全に濾過したときの空洞２０８の上部における浮揚性本体２３０を図示する。図２０−２２は、濾過プロセス中の吐水口（またはチャネル）２２２内の濾過水の水位を図示する。種々の実施形態によると、チャネル２２２は、入口開口部２４７から、注水口２１８に近接し得る出口開口部２４８まで延在する。
【００９１】
環状シール２５０は、浮揚性本体部材２３１の周辺を中心として配置され、浮揚性本体２３０の全ての位置で浮揚性本体部材２３１と側壁２０４の内壁２５２との間に液体シールを提供する。代替実施形態では、シール２５０は、浮揚性本体２３０上にオーバーモールドされてもよく、許容デュロメータ範囲を有するであろう。許容デュロメータ範囲は、３０〜９０のデュロメータ測定を含む。特定の実施形態では、５０〜７０のデュロメータ測定が、許容と判定され、５５〜６５の最適デュロメータ測定、特定の実施形態では、６０のデュロメータ測定が、使用される材料のために重要であると判定されている。種々の実施形態によると、シール２５０は、ゴムシリコーン、Ｔｅｆｌｏｎ、または適切なデュロメータ硬度の当技術分野で公知である任意の他の材料から成ってもよい。
【００９２】
図２３は、シールおよび図２０の区分Ａにおける内壁界面とのその係合の非限定的実施形態の拡大図を図示する。有利なこととして、シール２５０は、浮揚性本体２３０が空洞２０８内で上昇するときにより大きい、内壁２５２との摩擦を生成し、その摩擦は、空のピッチャ２００の中への初期挿入中等の浮揚性本体２３０が空洞２０８内で下降されるとき、また、図３１、３２、および３３に示されるように、傾けられると、チャネル（または吐水口）２２２および注水口２１８を介した濾過水の分注中に浮揚性本体２３０が底部２０６に向かって（例えば、出口開口部２４８から離れるように）自動後退するときに、より少ない。いくつかの実施形態では、浮揚性本体２３０が上昇すると生成される摩擦は、浮揚性本体２３０が下降すると生成される摩擦の少なくとも２倍である。他の実施形態では、上昇中に生成される摩擦は、浮揚性本体２３０の下降中に生成される摩擦の最大６倍である。
【００９３】
一例示的実施形態では、シール２５０は、図２３から図３６に示されるように、環状ｙリングまたはｕリングから成り、両方の形状は、本明細書ではｙシールとも称される。ｙシール２５０は、浮揚性本体２３０が液体シールを提供するようにピッチャ２００の空洞２０８の中に最初に配置されるときに、内壁２５２に対して外向きに付勢される、外向きに延在する遠位テーパ状先端２５４を有する。ｙシール２５０は、テーパ状先端２５４が浮揚性本体２３０の半径の外向きに延在する、静置位置まで外向きに弾性的に付勢される。テーパ状先端２５４を含むシールの第２の部分が、その静置位置で浮揚性本体の半径の外向きに延在する一方で、浮揚性本体２３０の側面の中に陥凹状であるｙシール２５０の第１の部分を有することによって、テーパ状先端２５４は、ピッチャの内壁２５２に対して圧力を及ぼし、濾過器２３４を通ることを除いて、浮揚性本体２３０を通過する未濾過水に対して抵抗するシールを作成する。本構成はまた、内壁２５２に対してより一貫した摩擦力を提供し、内壁２５２表面のトポグラフィの非一貫性のために、さらに、ピッチャ２０６の底部とピッチャの上部との間でより広くなる角度付き内壁２５２表面のために適合する。
【００９４】
図２３に示されるように、先端２５４は、シール２５０の上向きに延在するアーム２５６から略水平に延在し、わずかに上向きに膨張される一方で、内壁２５２に係合してもよい。シール２５０は、先端２５４を含むシール部分（すなわち、第２の部分）が、そこで屈曲することを可能にし、先端２５４が上向きおよび下向きに膨張されることを促進する、狭くなったヒンジ部分２５８を有する。シール２５０は、アーム２５６と平行であり、それよりも厚い、上向きに延在する部分２６０（すなわち、第１の部分）を有し、また、アーム２５６を部分２６０に接続する、中間部ブリッジ２６２も有する。シール２５０は、図２６に示されるように、浮揚性本体部材２３１の環状陥凹２７０の中にしっかりと配置されるように構成される。一般的な丸いシールとは対照的なｙ字形シールを使用することによって、先端２５４と内壁２５２との間の摩擦は、内壁２５２表面の非一貫性のために適合することができる流体シールを維持しながら、移動の方向に応じて変動し得る。さらに、シール２５０の先端２５４はまた、上下に移動すると内壁２５２の表面を清掃してもよく、通常、発生し、ピッチャ２００上で加速した摩耗を引き起こし得る、鉱物蓄積を低減させる。
【００９５】
一例示的実施形態では、浮揚性本体の底側２９９（図２１）は、開放し、底部材によって封入されない。浮揚性本体２３０の側面および上部ならびに濾過器アダプタ開口部２３２を伴う本構成は、依然として、ガスが浮力を生成するように浮揚性本体２３０の頂面の下方で捕捉されるが、底側の３００が除去され、それを開放したままにするように、浮揚性本体２３０の側壁内にチャンバ２３６を含む。これは、ある事例では、浮揚性本体２３０の製造を単純化し、浮揚性本体の重量を低減させ得る。本開示に含まれる種々の図に図示される特定の実施形態はそれぞれ、種々の実施形態の底側を示すが、本底側は、特定の実施形態にとって随意であり、実施形態のうちのいずれかが、浮揚性本体の底側を伴わずに製造され得るため、図は、底側の有無の両方で浮揚性本体を表すと理解されるべきであることを理解されたい。
【００９６】
前述で議論されたように、図２３は、浮揚性本体２３０が（圧力差によって、または手動でのいずれかで）下向きに押動される結果として、わずかに上向きに膨張された先端２５４（すなわち、先端２５４が浮揚性本体２３０に対して第１の角度で側壁に係合する）を図示する、図２０の区分Ａの拡大図を示す。図２４は、浮揚性本体２３０が上向きに浮動するにつれてわずかに下向きに膨張された先端２５４（すなわち、先端２５４が浮揚性本体２３０に対して第２の角度で内壁２５２に係合する）を図示する、図２１の区分Ｂの拡大図を示す。図２５は、浮揚性本体２３０が上向きに浮動するにつれてわずかに下向きに膨張された先端２５４も示す、図２２の区分Ｃの拡大図を示す。先端２５４がわずかに下向きに膨張されると、先端２５４と内壁２５２との間に生成される摩擦は、前述で議論されたように、先端２５４がわずかに上向きに膨張されたときを上回る。種々の実施形態によると、先端２５４が内壁２５２に係合する角度は、第１のわずかに下向きの角度と第２のわずかに上向きの角度との間で変動することができる一方で、ヒンジ部分２５８が、先端２５４の端部のみが内壁２５２に係合するとき（例えば、アーム２５６が内壁２５２から最も遠いときの点）および先端２５４が角度を付けられ、内壁２５２との最大係合を有する（例えば、アーム２５６が内壁２５２に最も近いときの点）の構成を含む、可動域をアーム２５６および先端２５４に与えるため、流体シールを維持する。
【００９７】
図２６は、シール２５０および浮揚性本体部材２３１の分解図を示す。環状陥凹２７０は、環状上辺縁２７２を有する部材２３１の上部分の中に画定され、ｙシール２５０に適応する。陥凹２７０は、種々の形状を有してもよい。陥凹２７０の幅は、図２３に示されるように、シール２５０の幅と同一であり、摩擦嵌合配列で定位置に保持される。図２７は、シール２５０の側面図を示し、図２８は、シール２５０の上面図を示し、図２９は、シール２５０の底面図を示し、図３０は、図２７のＢ−Ｂに沿って得られたシール２５０の断面図を示す。
【００９８】
図３１、３２、および３３を参照すると、吐水口（またはチャネル）２２２および注水口２１８を介した空洞２０８の下部分２４０からの濾過水の分注が示されている。図３１は、図２２に示されるように、浮揚性本体２３０が空洞２０８の上部にある、濾過水で満たされたピッチャ２００を図示する。ピッチャ２００は、図２２に示される構成である間に、平衡状態であると見なされ得、浮揚性本体２３０に作用する重力が、浮揚性本体２３０の浮力に起因する力（例えば、浮揚性本体２３０の上部と底部との間の圧力差に起因する力）および内壁２５２に対するｙシール２５０の摩擦と平衡を保たれ、浮揚性本体２３０に及ぼされる大気圧が、チャネル２２２内の濾過水の表面に及ぼされる大気圧と平衡を保たれることを意味する。図３１は、傾けられることに起因して、平衡状態から離れようとしているピッチャ２００を図示する。本説明および以下に続く請求項の文脈で、浮揚性本体によって受けられる圧力差は、シール２５０の両側で（例えば、シールの上方対シールの下方）浮揚性本体に及ぼされている、流体（例えば、水、空気等）圧力等の圧力の差を指す。
【００９９】
濾過水がピッチャ２００から分注されると、吐水口２２２内の濾過水の露出表面上に及ぼされる圧力は、重力が注水口２１８に向かって水を引動するにつれて低減される。図３２を参照されたい。吐水口（またはチャネル）２２２内の圧力の本低減の結果は、空洞２０８の下部分２４０が、本質的に閉じ込められたシステムであり（例えば、液体シールが、空洞２０８の下部分と上部分との間で維持され、水濾過器２３４を通した流体移動が、有意義な役割を果たさないように他の平衡探索機構と比較して十分に遅い等）、保持している圧力が固定されるが低減されない、チャネル２２２を考慮に入れないため、パスカルの原理を使用して議論され得る。パスカルの原理は、閉じ込められた非圧縮性流体の中のいずれかの場所で起こる圧力変化が、同一の変化がいかなる場所でも起こるように流体の全体を通して伝達されることを記述している。換言すると、チャネル（または吐水口）２２２内の濾過水の露出表面における低減した流体圧力はまた、浮揚性本体２３０の底部との流体界面を横断して受けられる。浮揚性本体２３０の一方の側面上の本低減した圧力と他方の側面上の大気圧との間の差は、ゼロではない正味圧力を浮揚性本体２３０に及ぼさせる。
【０１００】
種々の実施形態によると、吐水口２２２の断面積は、浮揚性本体２３０の底部の表面積よりもはるかに小さく、水圧の利点をもたらす（例えば、吐水口２２２内の小さい圧力差が、浮揚性本体２３０に及ぼされる大きい圧力を引き起こし得る）。有利なこととして、吐水口２２２内の低減した流体圧力が、大気が吐水口２２２を通して空洞２０８の下部分２４０の中へ「飲み込まれる」点まで降下し得る前に、浮揚性本体２３０に及ぼされる結果として生じる力は、濾過水の縮小供給とともに、ピッチャの底部に向かってそれを引動するために十分である。より具体的には、内壁２５２を伴うｙシール２５０の低摩擦配列は、浮揚性本体２３０が円滑および迅速に後退または「自動後退」することを可能にし、気泡または未濾過水のいかなる導入も伴わずに、有意な注ぎ速度を可能にする。浮揚性本体２３０がピッチャの底部に向かって（例えば、上開口部３１４から離れるように）移動すると、システムは、もう一度平衡に達し、それを維持しようとしている。平衡は、注ぎが停止され、または濾過水が使い果たされ、浮揚性本体２３０がピッチャの底部に到達するときに維持されるであろう。図３３を参照されたい。ピッチャの底部までの浮揚性本体２３０の迅速な自動後退は、未濾過水のための空間を最大限にするために浮揚性本体２３０の手動再配置を要求することなく、ピッチャの迅速で楽な再充填を促進する。
【０１０１】
注水口２１８に向かって、吐水口（またはチャネル）２２２を通してピッチャ空洞の底部の近傍のピッチャ空洞の下部分２４０から退出する、ピッチャ２００の中の水を通して水濾過器２３４を横断して圧力差を生成し、上部分２３８内の空気が補償するために十分に速く濾過器を通過することができないことによって、浮揚物２３０は、ピッチャ２００の底部の近傍のシステムのより低い圧力に向かって引き寄せられる。図３２では、ピッチャ２００が水を注ぐために向きを変えられときでさえも、浮揚物２３０がピッチャ２００の底部２０６に向かって移動し、重量が、通常、浮揚物２３０をピッチャ２００の上部に向かって摺動させるであろうことに留意されたい。空洞２４０の上部分２３８の中よりもピッチャ空洞の下部分２４０の中で低い圧力を生成することを通して、浮揚物２３０と水との間に水圧ロックを生成することによって、浮揚物２３０は、移動し、水と同じ高さに留まる。
【０１０２】
浮揚性濾過器ピッチャシステム内の摩擦を制御することは、容易ではなく、システムが稼働するであろうかどうかを判定する、圧力差、濾過媒体、浮揚物の浮力、濾過器孔サイズ、および浮揚物の重量とともに、主要な要因のうちの１つである。浮揚物の浮力に関する過剰な摩擦もしくは過剰な重量、および濾過器浮揚物の上方の水は、上昇することができないであろう、または水を効果的に濾過するために十分に速く上昇しないであろう。浮揚物の下方に空気を捕捉することによって、浮力が増加される。さらに、液体シールは、濾過器を通す以外に上部分から下部分まで通過する水に対する障壁として作用するために、ピッチャの側面との十分な接触を維持する必要である。圧力差がないと、水は、ピッチャの吐水口２２２から退出し、浮揚物は、ピッチャの上部に留まり、それの上方に追加される水の別の部分を濾過する準備ができていないであろう。
【０１０３】
特定の実施形態では、１０カップ用ピッチャに関して、３〜１０分の上昇時間が望ましく、それが上昇する速さは、実際には、ユーザが水から除去することを所望する汚染物質のタイプに主に依存するであろう。例えば、塩素除去のみに関して、５０〜２００秒の上昇時間が実用的であることが見出されている。重金属、ベンゼン、およびアトラジン等の他の汚染物質に関して、２００〜１，２００秒の上昇時間が実用的である。
【０１０４】
液体シールが、傾けられ、不均等な力を引き起こし得るときでさえも、充填中および分注中に全ての位置で濾過水から未濾過水を分離するように維持されることが重要である。ｙシール２５０の変動する摩擦配列が、本設計考慮事項を解決する。図３４は、先端２５４を伴うｙシール２５０がわずかに下向きに膨張され、より大きい摩擦を生成する、図３１に示される拡大図Ｄを示す。ピッチャ２００が傾けられると、シール２５０は、図３２に示される拡大図Ｅを示す図３５に示されるように、わずかに上向きに膨張されることに切り替わる。濾過水が空洞２０８から完全に分注されるとき、シール２５０は、図３３に示される拡大図Ｆを示す図３６に示されるように、わずかに上向きに膨張されたままである。
【０１０５】
図３７を参照すると、水濾過器２３４を固着して受容し、液体シールを形成する、浮揚性本体部材２３１を備える、浮揚性本体２３０の斜視図が示されている。濾過器２３４は、任意の市販の濾過媒体を含むことができる。図３８は、浮揚性本体２３０の正面図を図示し、図３９は、浮揚性本体２３０の左側面図を図示し、図４０は、浮揚性本体２３０の右側面図を図示し、図４１は、浮揚性本体２３０の背面図を図示し、図４２は、浮揚性本体２３０の上面図を図示し、図４３は、浮揚性本体２３０の底面図を図示する。図４４は、図３８に示されるような線Ｃ−Ｃに沿って得られた浮揚性本体２３０の断面図を図示する。図４３に示されるように、濾過器２３４の底部２８０は、濾過水が空洞２０８の底部分２４０の中へ通過することを可能にする、複数の開口部２８２を有する。浮揚性本体部材２３１の底部２８４は、濾過器底部２８０から浮揚性本体部材２３１の周辺まで延在する、４つの半径方向に延在する陥凹２８６として示される、１つ以上の陥凹を有する。陥凹２８６は、浮揚性本体部材２３１の下の開口部２８２からピッチャ底部２０６に沿って流体経路を提供し、浮揚性本体部材２３１がピッチャ底部２０６上に静置するときに吸引を低減させる。前述で議論されたように、浮揚性本体の底側２８４が含まれない実施形態では、チャネル２８６は、図３８−４１に図示されるように、浮揚性本体部材２３１の縁における浮揚性本体部材２３の側壁内の陥凹として表されてもよく、残りの囲繞する縁は、浮揚性本体２３０がピッチャの底部に位置付けられるときにピッチャの底部からのスタンドオフを提供する。チャネル２８６はまた、濾過器アダプタ開口部２３２の底部の側面を通したその延在に反映されるであろう。浮揚性本体２３０の底縁に沿って隆起部分を含むことによって、ピッチャの底部上に着座し、真空または圧力ロックを生成する、いかなる連続表面も存在しない。水は、それによって、より自由に流動することができ、浮揚性部材２３０は、初期の水が濾過器２３４を通して浸出するときにそれが流動するための場所がないという付加的複雑状況を伴わずに、より容易に移動することができる。図４３の実施形態では、本構成は、浮揚性本体部材２３１の底縁の周囲の４つのスタンドオフ脚部および濾過器アダプタ開口部の底縁の周囲の４つのスタンドオフ脚部をもたらし、各脚部は、その間の間隙またはチャネルによって他方から分離される。任意の数、１つ以上のスタンドオフ脚部が、使用されてもよく、ピッチャの底部に直接隣接するときに、真空または圧力ロックが浮揚性本体２３０の底部上に形成される可能性を低減させるように、その間に少なくとも１つの間隙を有する。
【０１０６】
前述のように、濾過器２３４は、種々の実施形態によると、任意の市販の濾過媒体を含んでもよい。濾過のレベルが大きくなるほど、濾過器を通して液体を移動させることがより困難になり得る。使用されている濾過器のタイプと無関係に、エンドユーザに一様な体験（例えば、新しいピッチャの水を濾過するために要求される時間等）を提供することが望ましくあり得る。いくつかの実施形態では、濾過器２３４の底部上の開口部２８２のサイズおよび／または数は、濾過時間を異なる濾過媒体のために一様にするように、浮揚性本体２３０の浮力によって生成される水圧における選択された濾過媒体の体積あたりの流速に相応して修正されてもよい。
【０１０７】
ここで図４５を参照すると、濾過器２３４と、浮揚性本体部材２３１とを含む、浮揚性本体２３０の分解図が示されている。濾過器アダプタ開口部２３２は、濾過器２３４の捻転された輪郭外面２９２に対応する、捻転された輪郭内面２９０を有することが示される。図４６に図示されるように、濾過器２３４は、濾過器を挿入し、濾過器をわずかに捻転させ、いったん濾過器アダプタ開口部２３２の中に完全に着座されると、濾過器と開口部２３２との間に液体シールを作成することによって、濾過器アダプタ開口部２３２の中でしっかりと受容される。濾過器２３４は、略長方形を有するが、示されるような平滑化したおよび／または丸みを帯びた角を有する。濾過器２３４は、濾過媒体（図示せず）によって濾過するために、空洞２０８の上部分２４０から濾過器の中へ未濾過水を引き込むように構成される、複数の半径方向に延在する取水開口部２９４を有する。濾過水は、濾過器２３４から開口部２８２を介して空洞２０８の下部分２４０の中へ分注される。濾過器２３４の上方の回転矢印は、浮揚性本体部材２３１から濾過器２３４を除去するための回転の方向を示す。
【０１０８】
図４７を参照すると、濾過器２３４の斜視図が示されている。図４８は、濾過器２３４の正面図を示し、図４９は、濾過器２３４の左側面図を示し、図５０は、濾過器２３４の右側面図を示し、図５１は、濾過器２３４の背面図を示し、図５２は、濾過器２３４の上面図を示し、図５３は、濾過器２３４の底面図を示し、図５４は、濾過器２３４の側面斜視図を示す。図４５に関して前述で議論されたように、濾過器２３４は、略長方形であるが、濾過器２３４のように捻転および輪郭形成され、浮揚性本体部材２３１の対向する捻転および輪郭形成された内壁２９０に共形化する、曲線縁を有する。濾過器２３４の外面は、濾過器２３４が浮揚性本体部材２３１の中に受容されると約２０度捻転するように、その円周を中心として平滑である。本輪郭形成は、定位置で濾過器２３４を係止し、また、濾過器２３４と内壁２９０との間に液体シールを提供することに役立つ。濾過器２３４の上端は、環状表面２９６を形成するように外向きに広げられる。表面２９６は、角度を付けられ、図４５に示されるように、濾過器開口部２３２を中心として形成される角度付き表面２９８に共形化する。
【０１０９】
図２０に照らして図４４に戻って参照すると、浮揚性本体２３０は、Ｈ＝３ｈである、空洞２０８（図２０）の全体的高さＨの約１／３である高さｈを有する。ガス充填チャンバ２３６の容積は、浮揚性本体部材２３０が、水が濾過器を通して濾過される同一速度で浮揚性本体部材を上昇させるように構成される浮力を有するように、浮揚性本体部材２３１、シール２５０、および濾過器２３４の重量を考慮するように設計される。例えば、浮力は、浮揚性本体２３０が約８分で空洞２０８の底部から上部まで上昇するように構成され、その上昇時間は、示される構成で未濾過水の体積を濾過する時間に合致する。他の実施形態では、浮揚性本体の高さｈは、１／８Ｈと同程度に低くあり得、１／２Ｈと同程度に高くあり得る。空洞２０８容積に対する浮揚性本体２３０容積の比は、１：２〜１：８の間で変動し得る、ほぼ同一の比である。
【０１１０】
ここで図５５を参照すると、概して、水ピッチャ３００として示される、携帯用水濾過システムの別の例示的実施形態の斜視分解図が示されている。ピッチャ３００の上面図が、図５６に示され、正面図が、図５７に示され、側面図が、図５８に示され、端面図が、図５９に示される。
【０１１１】
ピッチャ３００は、コンテナ（例えば、ピッチャ３０２、タンブラ等）と、除去可能なスリーブ３０４と、浮揚性本体２３０と、除去可能な蓋３２６とを備えると見なされる。図５５−５９に示される非限定的実施例が、他の図に示される実施形態と異なる（例えば、形状が押出された卵形対円筒形である等）一方で、ピッチャ３００の要素およびその使用ならびに機能で適用される原理は、本明細書に開示される任意の他の実施形態のものと交換され得、その逆も同様であることに留意されたい。具体的には、ピッチャ構成要素、シール、浮揚物、濾過器、材料、および同等物は、形状ならびにサイズを合致させることによって、本明細書の他の場所で議論される種々のピッチャ実施形態のそれぞれの間で交換され得る。当業者は、ピッチャ実施形態の全てに適用される原理は、構成要素および動作が交換され得るように関連することを理解するであろう。さらに、前述で議論された要素の側面も交換され得る。具体的実施例として、図２３−２５の可動テーパ状先端２５４およびアーム２５６は、図示される具体的ｕシールまたはｙシール実施形態を使用しない様式で、ピッチャ３００のシールで採用されてもよい（例えば、ブリッジ２６２は、浮揚性本体２３０の水平表面に添着されてもよい、または標準Ｏリングシールが使用されてもよい等）。
【０１１２】
図５５に示されるように、ピッチャ（またはコンテナ）３０２は、種々の実施形態によると、空洞または第１の空洞３１２をともに形成する、１つ以上のピッチャ側壁３０８、上部における上端３０６、および底部におけるピッチャ基部３１１によって形成される。いくつかの実施形態では、ピッチャ基部３１１は、平面的な底面３５２を有してもよい。ピッチャ３０２はさらに、ハンドル２１０と、ピッチャ３０２の上端３０６と一体的な注水口２１８とを備える。いくつかの実施形態では、ピッチャ３０２の上端３０６は、ピッチャ３０２の開口部を指し得る。図５５−５９に図示される非限定的ピッチャ実施例は、卵形または競走場形断面を伴うピッチャ３０２を含むが、対応して成形された浮揚性本体２３０およびスリーブ３０４が使用されることを前提として、他のピッチャ３０２形状が代替として使用され得ることを理解されたい。例えば、円筒形側壁の卵形断面の代わりに、楕円形断面、アーチ形断面、または正方形もしくは長方形断面が使用され得ることが具体的に考慮される。
【０１１３】
図５５に示されるピッチャ３００の非限定的実施例はさらに、スリーブ３０４を備える。種々の実施形態によると、スリーブ３０４は、浮揚性本体２３０のシール２５０と界面接触し、未濾過水から濾過水を分離する。コンテナ（例えば、ピッチャ３０２）の内側のスリーブ３０４の使用は、効率的で一貫した製造プロセスを可能にし、スリーブ３０４と浮揚物２３２との間の相互作用において使用される流体シールを損なうことなく、より様式的または不規則な外面を有するピッチャ３００の中への浮揚性本体２３０の組み込みを促進するという点で、有利である。図５５に示されるように、スリーブ３０４が、清掃または他の利便性のために除去可能であり得る一方で、他の実施形態では、スリーブ３０４は、ピッチャ３０２に恒久的に取り付けられてもよい。
【０１１４】
示されるように、スリーブ３０４は、種々の実施形態によると、第２の空洞３２２をともに形成する、１つ以上のスリーブ側壁３１６、上部における上開口部（もしくは上部開放端）３１４、および底部における下端（もしくは底部開放端）３２０によって形成される。いくつかの実施形態では、スリーブ３０４はまた、平面的または略平面的な底面３５４を有してもよい。本説明および以下に続く請求項の文脈で、スリーブ３０４の下端３２０は、上開口部３１４の反対側のスリーブ３０４の一部を指す。示されるように、スリーブ３０４はさらに、濾過水が注水口２１８に向かってスリーブ３０４から退出することを可能にする、下開口部３１８を下端３２０に備える。図５５に示される非限定的実施例を含む、いくつかの実施形態では、スリーブ３０４は、閉鎖底部を備えてもよく、下開口部は、スリーブ側壁３１６のうちの１つ以上のものの中にあってもよい。他の実施形態では、１つ以上のスリーブ側壁３１６は、スリーブの底部開放端（または下端）３２０の中で内向きに屈曲し、辺縁を形成してもよい（例えば、図３−４の停止辺縁１４を参照）。なおも他の実施形態では、下開口部３１８は、スリーブの上開口部（または上部開放端）３１４と平行な平面から、スリーブ側壁３１６のうちの１つ以上のものの一部まで延在してもよい。特定の実施形態では、下開口部３１８は、浮揚性本体２３０がスリーブ３０４の底部にあるときに、その上先端部が浮揚性本体２３０のシール２５０に近接するように、成形されて位置してもよい。これは、充填および濾過中にシール２５０の下に捕捉される第２の空洞３２２内の空気の除去を促進し得るため、有利であり得る。
【０１１５】
示されるように、スリーブ３０４は、空洞（または第１の空洞）３１２の内側に配置される。水をピッチャ３００に繰り返し追加する必要性を最大限にし、各充填で取得される濾過水の量を最大限にするために、未濾過水が第２の空洞３２２の中（浮揚性本体２３０の上方）のみに設置されるため、スリーブ３０４の容積がピッチャ３０２の容積に類似することが有利である。特定の実施形態では、スリーブ３０４は、スリーブ３０４の上開口部３１４がピッチャ３０２の上端３０６に近接するように、ピッチャ３０２とほぼ同一の高さである。別の実施形態では、第２の空洞３２２は、第１の空洞３１２の大部分を充填する。なおも別の実施形態では、第２の空洞３２２の容積は、空洞（または第１の空洞）３１２の容積の少なくとも７０％、８５％、以上のものであり得る。
【０１１６】
種々の実施形態によると、スリーブ３０４は、略垂直であるスリーブ側壁３１６を備える。本説明および以下に続く請求項の文脈で、略垂直は、垂直の２°以内を意味する。浮揚性本体２３０上のｙシール２５０の使用は、シール２５０のヒンジ部分２５８が、前述で議論されたように、先端２５４が流体シールを損なうことなく左右に移動することを可能にするため、スリーブ側壁３１６が絶対的に垂直ではない実施形態で有利であり得る。特定の実施形態では、スリーブは、垂直の１°以内の壁傾斜を伴う上部分と、垂直の０．５°以内の壁傾斜を伴う中間部分と、垂直の１°以内の壁傾斜を伴う下部分とを備える。上部分は、中間部分へのスリーブの上部開口部に隣接し、中間部分は、スリーブ高さの大部分に延在し、底部分は、浮揚性本体シール２５０がスリーブ内のその最低動作位置にあるときに中間部分と接触したままであるように、浮揚性本体２３０の高さの下方の点において中間部分の下方から始まる。
【０１１７】
いくつかの実施形態では、スリーブ３０４は、水が濾過されるにつれてスリーブ３０４が上昇しないように防止するように、上開口部（または上部開放端）３１４の近傍のピッチャ３０２に結合されてもよい。一実施形態では、スリーブ３０４およびピッチャ３０２は、摩擦によって上開口部３１４の近傍に結合されてもよく、スリーブ３０４の外面は、ピッチャ３０２の内面と直接接触する。別の実施形態では、２つが、材料またはガスケットを通して結合されてもよい。さらに別の実施形態では、蓋３２６は、ピッチャ３０２の上端３０６およびスリーブ３０４の上部開放端３１４と直接接触し、定位置で両方を保持してもよい。他の実施形態では、スリーブ３０４およびピッチャ３０２は、スリーブ３０４がピッチャ３０２に対して上下に移動しないように防止するように、ピッチャ基部３１１の近傍または他の場所に結合されてもよい。
【０１１８】
ピッチャ３００はまた、浮揚性本体２３０の外面３２３から外向きに延在するシール２５０を有する、浮揚性本体２３０も含む。いくつかの実施形態では、浮揚性本体２３０はまた、いくつかの実施形態によると、浮揚性本体２３０が上下に移動するにつれて、ピッチャの平面的な底面３５２および／またはスリーブの平面的な底面３５４と平行もしくは略平行（例えば、２度以内等）に維持され得る、平面的または略平面的な底面２４１を有してもよい。前述で議論された実施形態と同様に、シール２５０は、水が浮揚性本体２３０とスリーブ３０４との間を通過することを制限され、スリーブ３０４内で浮揚性本体２３０を上下に移動させるために十分な圧力差が生成され、水がチャネル内で上下に移動するにつれて維持され得るように、１つ以上のスリーブ側壁３１６と係合するように構成される。本明細書に開示される他の浮揚性本体の実施形態のうちのいずれかは、スリーブ３０４とともに使用するために適合されてもよい。浮揚性本体２３０は、ピッチャ３００の配向と無関係に、スリーブ３０４に対してその相対的配向を維持するように構成される。前述で議論されたように、これは、シール２５０を通して遂行され、ならびに浮揚性本体２３０の厚さは、シール２５０が膠着する、または完全に反転することはもちろんのこと、係脱するために十分に離れて傾くことができないようなものである。浮揚性本体２３０の高さ（またはより具体的には、浮揚性本体内の捕捉されたガスの体積）は、材料、形状、および付随するシール２５０と関連付けられる結果として生じる摩擦（例えば、上向きに移動している間の摩擦、下向きに移動している間の摩擦）に応じて、変動し得る。例えば、より低い摩擦を有するシールが、より厚い浮揚性本体２３０のより大きい浮力と平衡を保たれる必要があろう、より高い摩擦を有するシールよりも薄い浮揚性本体２３０とともに、使用されてもよい。
【０１１９】
前述で議論されたように、浮揚性本体２３０はさらに、浮揚性本体２３０によって囲繞され、濾過器２３４を受容するように構成される、濾過器開口部２３２を備える。図５５−５９に示される非限定的実施例では、濾過器開口部２３２が、浮揚性本体２３０の底部からアクセス可能である一方で、浮揚性本体２３０の上部は、水が濾過器開口部２３２の中に配設される濾過器２３４に進入することを可能にする一連の孔を備える。
【０１２０】
ピッチャ３００は、上端３０６に近接する注水口２１８を有する。注水口２１８は、図６０−６２に示されるように、ピッチャ（またはコンテナ）側壁３０８（例えば、外壁３１０）とスリーブ側壁３１６との間の空隙３３２によって形成される吐水口（またはチャネル）３３０を介して、濾過水を分注するように構成される。吐水口３３０は、基部３１１に隣接する入口開口部３５０と上端３０６に隣接する出口開口部３４８との間に延在する。入口開口部３５０は、スリーブ３０４の下端３２０と流体連通し、示されるように、第２の空洞３２２から水を受容するように構成される。いくつかの実施形態では、ピッチャ３０２およびスリーブ３０４は、ピッチャ側壁３０８とスリーブ側壁３０６との間の濾過水が吐水口３３０に閉じ込められるように、吐水口３３０の周辺ならびにスリーブ３０４の下開口部３１８に沿って、噛合される、またはある方法で密閉されてもよい。他の実施形態では、濾過水は、ピッチャ側壁３０８とスリーブ側壁３０６との間のどのような空間にも（たとえ小さくても）進入することを可能にされてもよく、ピッチャ３０２およびスリーブ３０４は、傾けられたときに、濾過水のみが注水口２１８からピッチャ３００を退出するように結合されてもよい。
【０１２１】
ここで図６０、６１、および６２を参照すると、ピッチャ３００内の濾過水の種々の水位に関して、図５９に示されるような断面Ｄ−Ｄに沿って得られたピッチャ３００の断面図が示されている。図６０は、交換可能な水濾過器２３４を受容する、中心に位置する濾過器開口部２３２を備える、浮揚性本体２３０を示す。浮揚性本体２３０は、浮揚性本体２３０にアクセス可能な第２の空洞３２２の最低点である、第１の（または下降）位置３２８に存在する。種々の実施形態によると、浮揚性本体２３０は、水が第２の空洞３２２の中にないとき、および未濾過水３３４が最初にピッチャ３００の中に注がれるときに、第１の（または下降）位置３２８にある。
【０１２２】
記述されるように、スリーブ３０４は、除去可能であり得る。そのような実施形態では、種々の方法が、別様にピッチャ３０２内で浮動する、または揺れ得る、ピッチャ３０２に対するスリーブ３０４の移動を抑止するために採用されてもよい。いくつかの実施形態では、スリーブ３０４の下端３２０は、突出部３２４の使用を通してピッチャ３０２に対して少なくとも部分的に固着されてもよい。図６０の非限定的実施例に示されるように、スリーブ３０４の下端３２０は、一方の端部が反転された卵形の形状で外向きに延在する突出部３２４を有する（例えば、ピッチャ３０２の第１の空洞３１２の底部の形状に従う）。さらに、図６０に示されるピッチャ３０２の実施形態は、スリーブ３０４の突出部３２４と噛合し、ピッチャ３０２に対するスリーブ３０４の左右の移動を阻止する、くぼみをピッチャ基部３１１の内部表面に備える。いくつかの実施形態では、ピッチャ３０２は、スリーブ３０４と噛合して移動を制限する、１つ以上の突出部３２４を備えてもよい。他の実施形態では、スリーブの下端３２０（またはスリーブ３０４の別の部分）は、ピッチャ３０２と噛合して移動を制限する、１つ以上の突出部３２４を備えてもよい。いくつかの実施形態では、スリーブ３０４は、ピッチャ基部３１１の突出部３２４と噛合するように成形され得る、基部を有してもよい。他の実施形態では、スリーブ３０４の下端３２０は、少なくとも部分的に開放し得る。そのような実施形態では、ピッチャ基部３１１は、下端３２０内のスリーブ側壁３１６の少なくとも一部の縁と噛合する突出部を備えてもよい。
【０１２３】
図６０に示される非限定的実施例で見られるように、導管３３６が、浮揚性本体２３０の底部と第１の（または下降）位置３２８にある間にそれが静置する表面との間に存在する。前述で議論されたように、いくつかの実施形態では、浮揚性本体２３０は、第１の（または下降）位置３２８にあるときに表面（例えば、ピッチャ基部３１１、下端３２０内のスリーブ基部等）上に静置してもよい。そのような実施形態では、表面張力が、表面からの浮揚性本体２３０の分離を防止し、水の濾過を防止または阻止し得る。本問題の解決策として、特定の実施形態は、浮揚性本体２３０が第１の（または下降）位置３２８にある間に、第２の空洞３２２の上部分３４４が水濾過器２３４を通して吐水口３３０と流体連通したままであるように、浮揚性本体２３０の底部と表面との間に導管３３６を備える。代替として、チャネルまたは導管は、浮揚性本体２３０の底面上に形成されてもよい（例えば、図３９−４３のチャネル２８６を参照）。
【０１２４】
いくつかの実施形態では、導管３３６は、表面と浮揚性本体２３０との間に設置されるスタンドオフによって形成されてもよい（スタンドオフは、いずれか一方または両方の一部であってもよい）。他の実施形態では、浮揚性本体２３０の底面および／または第１の（もしくは下降）位置３２８にある間にそれが静置する表面は、導管３３６が存在するように不整合され得る。いくつかの実施形態では、浮揚性本体２３０は、第１の（または下降）位置３２８にある間に構造（例えば、スリーブの狭小化、下端３２０内の辺縁等）によって表面の上方に保持されてもよく、浮揚性本体２３０の底部のサイズに導管３３６を本質的に作成することに留意されたい。
【０１２５】
図６１は、重力が、未濾過水３３４を保持する第２の空洞３２２の上部分３４４から、濾過水３４０を保持する第２の空洞３２２の下部分３４６まで、水を濾過させる際の第２の空洞３２２の中間部における浮揚性本体２３０を図示する。浮揚性本体２３０は、下部分３４６の中の濾過水３４０の量が増加し、上部分３４４の中の未濾過水３３４が減少すると、第２の空洞３２２内で上昇する。前述で議論されたように、本運動は、圧力差３３８に起因し得る。
【０１２６】
図６２は、浮揚性本体２３０にアクセス可能な第２の空洞３２２の最高点である、第２の（または上昇）位置３４２における浮揚性本体２３０を図示する。種々の実施形態によると、浮揚性本体２３０は、上部分３４４の中の未濾過水３３４が下部分３４６の中へ完全に濾過したときに、第２の（または上昇）位置３４２にある。図６０−６２は、濾過プロセス中の吐水口３３０内の濾過水３４０の水位を図示するが、明確にするために、ピッチャ側壁３０８と吐水口３３０の外側のスリーブ側壁３１６との間のいかなる濾過水３４０も示さない。
【０１２７】
本開示は、例示的実施形態に関して説明されているが、多くの変形例および修正が、本願を熟読することに応じて当業者により明白となるであろう。本開示は、したがって、添付の請求項が、従来技術に照らして可能な限り広義に全てのそのような変形例および修正を含むと解釈されることである。例えば、コンテナは、タンブラとして特徴付けられる、上注水口を有するがハンドルを伴わないハンドヘルドデバイスとして定寸されることができる。コンテナはまた、濾過水の選択的分注を可能にするように、コンテナ底部に近接する栓等の側壁を通して配置される下分注ポートを伴って構成されることもできる。別の実施形態では、シール２５０は、逆位置で浮揚性本体部材に結合されてもよく、摩擦配列は、摩擦が、浮揚性本体が上昇するとより低く、浮揚性本体が空洞底部に向かって前進されるとより高いように、逆転される。
【０１２８】
別の例示的実施形態では、浮揚性本体２３０は、濾過器２３４が使用されない、本体開口部と、その中に画定される濾過媒体とを有する、単一の一体的本体から成ることができる。加えて、浮揚性本体は、ティーバッグ濾過器のようなもの等の流体多孔質膜に包被された濾過媒体を受容するように構成される濾過器開口部の代わりに、統合中心本体チャンバを有するように構成されることができる。枢動蓋は、本体開口部を被覆し、モジュール式濾過媒体を受容するように開放され、次いで、閉鎖されることができる。蓋は、水が濾過媒体を通してろ過することを可能にする開口部を有するように構成され、本体チャンバの底部もまた、濾過水がピッチャの濾過水空洞まで通過することを可能にする開口部を有する。本実施形態は、使い捨てモジュール式濾過器がプラスチック筐体を伴わずに使用されることを可能にし、それによって、環境に優しい濾過媒体解決策を生成する。
【０１２９】
水濾過器システムの実施形態の種々の非限定的側面は、以下の材料のうちの１つ以上のものを備えてもよい。本明細書に説明および考慮される浮揚性シールのうちのいずれかは、ポリプロピレン（ＰＰ）を備えてもよい。本明細書に説明および考慮される浮揚性シールの種々の実施形態は、熱可塑性エラストマ（ＴＰＥ）またはＧＬＳ  ＶｅｒｓａｆｌｅｘＴＭ  ＣＬを備える、浮揚物オーバーモールドを備えてもよい。本明細書に説明および考慮されるコンテナ、ピッチャ、カップ、および同等物のうちのいずれかは、ポリカーボネート（ＰＣ）および／または透明アクリルを備えてもよい。本明細書に説明および考慮されるコンテナ、ピッチャ、カップ、および同等物の種々の実施形態は、熱可塑性エラストマ（ＴＰＥ）またはＧＬＳ  ＶｅｒｓａｆｌｅｘＴＭ  ＣＬを備える、ピッチャオーバーモールドを備えてもよい。本明細書に説明および考慮されるピッチャ蓋のうちのいずれかは、ＰＣおよび／または透明アクリルを備えてもよい。本明細書で考慮および説明される濾過器スリーブのうちのいずれかは、ＰＣおよび／または透明アクリルを備えてもよい。本明細書で考慮および説明されるスリーブ蓋、フラップ、または他の蓋のうちのいずれかは、ＰＣおよび／またはアクリロニトリルブタジエンスチレンを備えてもよい。種々の実施形態はさらに、フラップを付勢するステンレス鋼ばねを備えてもよい。種々の実施形態はさらに、ＰＰ濾過器上部および濾過器底部を備えてもよい。水濾過器システムの種々の実施形態はさらに、スリーブ蓋とスリーブとの間にシールを備えてもよい。本シールは、当技術分野で公知であるシリコーンまたは任意の他のＯリングを備えてもよい。
【０１３０】
本書の図の殆どで示され、参照されるコンテナは、ピッチャを備えるが、本明細書に説明される水濾過器システムの側面は、本開示の範囲から逸脱することなく、他のコンテナに適用され得ると考慮されることが理解されるであろう。例えば、本明細書に説明される水濾過器システムは、飲料冷却器またはディスペンサ、カップ、犬用ボウル、およびコーヒーメーカーに適合され得る。本説明される水濾過器システムの側面もまた、当技術分野で公知である任意の方法に従って製造され得る。いくつかの非限定的実施形態では、浮揚性シール、コンテナ、濾過器スリーブ、および／または蓋のうちの１つ以上のものは、射出成形ならびに／または吹込成形される。
【０１３１】
本明細書に考慮される飲料水濾過器システムの１つ以上の実施形態はさらに、香味料カートリッジを備えてもよい。香味料カートリッジは、濾過器開口部に近接する本明細書に説明される浮揚性シールのうちの１つに結合されてもよい。より具体的には、香味料カートリッジは、浮揚性シールの基部の近傍の浮揚性シールに除去可能に結合してもよい。なおも他の実施形態では、香味料カートリッジは、濾過器の代わりに使用するために構成され、したがって、個別の浮揚性シールの濾過器開口部内に搭載するように定寸される。いくつかの側面によると、香味料カートリッジは、濾過器の有無別に利用されてもよく、香味料カートリッジを通過すると香味料を水に添加するように構成される。香味料は、限定されないが、コーヒー香味料、茶香味料、果物香味料、ビタミン添加物、電解質添加物、エネルギー添加物、甘味料、および／または当技術分野で公知である任意の他の飲料添加物を含んでもよい。
【０１３２】
飲料水濾過器システムの他の実施形態では、飲料水濾過器システムは、本書の全体を通して説明されるコンテナおよび濾過器のうちのいずれかを備える。１つ以上の実施形態では、シールは、水中で浮動するのではなく水中に沈むように構成される、浮動シールとは対照的な加重シールを備えるように構成されてもよい。そのような実施形態では、加重シールは、限定されないが、濾過器開口部、リング、および／または環状アームを含む、上記に説明される浮動シールと同様に構成されてもよい。しかしながら、加重シールは、空気充填チャンバの有無別に加重環状本体を備える。加重環状本体は、水上に設置されたときにシールが沈むように加重される。他の実施形態では、加重シールは、水中に設置されたときにシールが沈むことを可能にする任意の形状を備える、複数の加重本体を備える。環状加重本体もしくは複数の加重本体は、シール内のチャンバ内に設置されてもよい、またはシールの本体を形成してもよく、シールがコンテナ内の水上に設置されるときに、未濾過水が濾過器の下方の面積から濾過器の上方の面積まで濾過器を通過するとシールが沈むように、加重される。加重本体は、種々の金属、ゴム、またはプラスチックを備えてもよい。
【０１３３】
動作時、加重シールの実施形態は、加重シールが未濾過水のコンテナの中に沈むと、水を濾過する。加重シールは、コンテナ内の水の上に設置され、濾過器は、典型的には、シールがコンテナ内の水上に設置される前にシールに結合される。加重シールが水中に沈むと、未濾過水は、濾過器を通して濾過器の下方から濾過器の上方の面積まで通過する。シールのリングおよび／または環状アームは、他のシール実施形態に関して説明されるように、水がシールとコンテナの壁との間を通過することを制限する。
【０１３４】
飲料水濾過器システムのなおも他の実施形態では、飲料水濾過器システムは、本書内の他の場所に説明されるコンテナおよび濾過器のうちのいずれかを備える。しかしながら、これらの実施形態のシールの実施形態は、本書に説明されるシールと異なる。１つ以上の実施形態では、シールは、シールに結合されるハンドルを備える。そのような実施形態では、ハンドル付きシールは、限定されないが、濾過器開口部、リング、および／または環状アームを含む、上記に説明される浮動シールもしくは加重シールと同様に構成されてもよい。ハンドル付きシールはさらに、先の実施形態の加重本体もしくはガス充填チャンバを備えてもよい、または代替として、それを欠き、濾過器開口部と環状アームおよび／もしくはリングとの間に延在するプレートのみを備えてもよい。ハンドルは、シールがコンテナ内の水上に設置されるときに、ハンドルを保持するユーザが力をシースに印加すると、力が印加される方向に応じて、未濾過水がシールの下方からシールの上方まで濾過器を通過する、または逆も同様であるように、シール上に位置付けられる。
【０１３５】
動作時、ハンドル付きシールの実施形態は、ハンドル付きシールが未濾過水のコンテナの中に沈むと水を濾過する。ハンドル付きシールは、コンテナ内の水の上に設置され、濾過器は、典型的には、シールがコンテナ内の水上に設置される前にシールに結合される。ハンドルを使用して、ユーザは、次いで、シールを下向きに押圧する。ハンドル付きシールが水中に沈むと、未濾過水は、濾過器を通して濾過器の下方から濾過器の上方の面積まで通過する。シールのリングおよび／または環状アームは、他のシール実施形態に関して説明されるように、水がシールとコンテナの壁との間を通過することを制限する。いくつかの側面によると、本明細書で考慮される浮揚性シールは、濾過器４０がコンテナの中で保持される濾過水の中に静置しないように構成される。具体的には、浮揚性シールは、個別の浮揚性シールの底部の上方に濾過器の基部を保持する、辺縁または他の構成を備えてもよい。
【０１３６】
水濾過器システムのための方法および／またはシステム実装の意図された動作と一致する事実上あらゆる構成要素が、利用され得るため、実装は、本明細書に開示される具体的構成要素に限定されないことが理解されるであろう。故に、例えば、特定の濾過器、コンテナ、およびシールが開示され得るが、そのような構成要素は、使用され得る水濾過器システムのための方法および／またはシステム実装の意図された動作と一致する任意の形状、サイズ、形式、タイプ、モデル、バージョン、クラス、グレード、測定、濃度、材料、重量、数量、ならびに／もしくは同等物を備えてもよい。
【図１】
2019534154.tif 000003
【図２】
2019534154.tif 000004
【図３】
2019534154.tif 000005
【図４】
2019534154.tif 000006
【図５】
2019534154.tif 000007
【図６】
2019534154.tif 000008
【図７】
2019534154.tif 000009
【図８Ａ】
2019534154.tif 000010
【図８Ｂ】
2019534154.tif 000011
【図９Ａ】
2019534154.tif 000012
【図９Ｂ】
2019534154.tif 000013
【図１０Ａ】
2019534154.tif 000014
【図１０Ｂ】
2019534154.tif 000015
【図１１Ａ】
2019534154.tif 000016
【図１１Ｂ】
2019534154.tif 000017
【図１２Ａ】
2019534154.tif 000018
【図１２Ｂ】
2019534154.tif 000019
【図１３】
2019534154.tif 000020
【図１４】
2019534154.tif 000021
【図１５】
2019534154.tif 000022
【図１６】
2019534154.tif 000023
【図１７】
2019534154.tif 000024
【図１８】
2019534154.tif 000025
【図１９】
2019534154.tif 000026
【図２０】
2019534154.tif 000027
【図２１】
2019534154.tif 000028
【図２２】
2019534154.tif 000029
【図２３】
2019534154.tif 000030
【図２４】
2019534154.tif 000031
【図２５】
2019534154.tif 000032
【図２６】
2019534154.tif 000033
【図２７】
2019534154.tif 000034
【図２８】
2019534154.tif 000035
【図２９】
2019534154.tif 000036
【図３０】
2019534154.tif 000037
【図３１】
2019534154.tif 000038
【図３２】
2019534154.tif 000039
【図３３】
2019534154.tif 000040
【図３４】
2019534154.tif 000041
【図３５】
2019534154.tif 000042
【図３６】
2019534154.tif 000043
【図３７】
2019534154.tif 000044
【図３８】
2019534154.tif 000045
【図３９】
2019534154.tif 000046
【図４０】
2019534154.tif 000047
【図４１】
2019534154.tif 000048
【図４２】
2019534154.tif 000049
【図４３】
2019534154.tif 000050
【図４４】
2019534154.tif 000051
【図４５】
2019534154.tif 000052
【図４６】
2019534154.tif 000053
【図４７】
2019534154.tif 000054
【図４８】
2019534154.tif 000055
【図４９】
2019534154.tif 000056
【図５０】
2019534154.tif 000057
【図５１】
2019534154.tif 000058
【図５２】
2019534154.tif 000059
【図５３】
2019534154.tif 000060
【図５４】
2019534154.tif 000061
【図５５】
2019534154.tif 000062
【図５６】
2019534154.tif 000063
【図５７】
2019534154.tif 000064
【図５８】
2019534154.tif 000065
【図５９】
2019534154.tif 000066
【図６０】
2019534154.tif 000067
【図６１】
2019534154.tif 000068
【図６２】
2019534154.tif 000069
【国際調査報告】
2019534154.tif 000070